(57)【要約】  不明確なワイヤレスセルを用いた測位をサポートするための技法が説明される。不明確セルは、分散アンテナシステム（ＤＡＳ）、１つもしくは複数のリモートラジオヘッド（ＲＲＨ）、リピータ、またはリレーを採用し得、あるいは別の近接セルと同じ測位基準信号（ＰＲＳ）をブロードキャストし得る。例示的な技法では、不明確セルにおける無線ソース（たとえば、ＤＡＳアンテナ素子またはＲＲＨ）の測定値が、被測定無線ソースを識別するために使用され得る。測定値は、観測到来時間差（ＯＴＤＯＡ）測位方法または拡張セルＩＤ（ＥＣＩＤ）測位方法のためのものであり得る。不明確セルに対する被測定無線ソースの決定は、ユーザ機器（ＵＥ）に対するロケーション推定値を改善するために使用され得る。
2018522226.tif 000002
【特許請求の範囲】
【請求項１】
ユーザ機器（ＵＥ）を位置特定するための方法であって、
位置特定支援データを前記ＵＥに提供することと、ここにおいて、前記位置特定支援データが少なくとも１つの不明確セルを含む、
測定データを求める要求を前記ＵＥに提供することと、
前記ＵＥから測定データを受信することと、ここにおいて、前記測定データが、不明確セルに対する少なくとも１つの測定値を含み、ここにおいて、前記不明確セルが、リピータ、リモートラジオヘッド、リレー、分散アンテナシステム、または別の近接セルのものと同一の測位基準信号のうちの少なくとも１つを利用する、
前記不明確セルに対する前記少なくとも１つの測定値に少なくとも部分的に基づいて、前記ＵＥの現在位置を計算することと
を備える方法。
【請求項２】
前記ＵＥが、ロングタームエボリューション（ＬＴＥ）ネットワークにアクセスするように構成され、前記不明確セルに対する前記少なくとも１つの測定値が、観測到来時間差（ＯＴＤＯＡ）測位方法のための基準信号時間差（ＲＳＴＤ）測定値である、請求項１に記載の方法。
【請求項３】
前記不明確セルが基準セルである、請求項２に記載の方法。
【請求項４】
前記不明確セルが隣接セルである、請求項２に記載の方法。
【請求項５】
前記位置特定支援データを前記ＵＥに提供することが、ＬＴＥ測位プロトコル（ＬＰＰ）提供支援データメッセージを前記ＵＥへ送ることを含む、請求項２に記載の方法。
【請求項６】
前記ＵＥから前記測定データを受信することが、前記ＵＥからＬＰＰ提供ロケーション情報メッセージを受信することを含む、請求項２に記載の方法。
【請求項７】
前記ＵＥの前記現在位置を計算することが、前記不明確セル用の最も可能性が高いアンテナを決定することを含む、請求項１に記載の方法。
【請求項８】
ユーザ機器（ＵＥ）を位置特定するための方法であって、
ロケーションサーバから位置特定支援データを受信することと、ここにおいて、前記位置特定支援データが不明確セルを含む、
測定値を求める要求を前記ロケーションサーバから受信することと、
複数のセルに対する１つまたは複数の測定値を作成することと、ここにおいて、少なくとも１つの測定値が、前記不明確セルに対するものであり、ここにおいて、前記不明確セルが、リピータ、リモートラジオヘッド、リレー、分散アンテナシステム、または別の近接セルのものと同一の測位基準信号のうちの１つを利用する、
前記不明確セルに対する前記少なくとも１つの測定値に少なくとも部分的に基づいて、前記ＵＥに対するロケーションの決定を可能にすることと
を備える方法。
【請求項９】
前記ＵＥに対する前記ロケーションの決定を前記可能にすることが、前記複数のセルに対する前記測定値を前記ロケーションサーバへ送ることを備える、請求項８に記載の方法。
【請求項１０】
前記複数のセルに対する前記測定値を前記ロケーションサーバへ送ることが、ＬＰＰ提供ロケーション情報メッセージを前記ロケーションサーバへ送ることを含む、請求項９に記載の方法。
【請求項１１】
前記ＵＥに対する前記ロケーションの決定を前記可能にすることが、前記ＵＥによって前記ロケーションを決定することを備える、請求項８に記載の方法。
【請求項１２】
さらに、前記ＵＥによって前記ロケーションを前記決定することが、前記不明確セルに関連する最も可能性が高いアンテナに基づく、請求項１１に記載の方法。
【請求項１３】
前記ロケーションサーバから前記位置特定支援データを受信することが、前記ロケーションサーバからＬＴＥ測位プロトコル（ＬＰＰ）提供支援データメッセージを受信することを含む、請求項８に記載の方法。
【請求項１４】
前記不明確セルに対する前記少なくとも１つの測定値が、ＬＴＥアクセス用の観測到来時間差（ＯＴＤＯＡ）測位方法のための基準信号時間差（ＲＳＴＤ）の測定値である、請求項８に記載の方法。
【請求項１５】
前記不明確セルが基準セルである、請求項１４に記載の方法。
【請求項１６】
前記不明確セルが隣接セルである、請求項１４に記載の方法。
【請求項１７】
ユーザ機器（ＵＥ）を位置特定するための装置であって、
メモリと、
通信サブシステムと、
前記メモリおよび前記通信サブシステムに動作可能に結合された少なくとも１つのプロセッサとを備え、前記少なくとも１つのプロセッサが、
位置特定支援データを前記ＵＥに提供することと、ここにおいて、前記位置特定支援データが少なくとも１つの不明確セルを含む、
測定データを求める要求を前記ＵＥに提供することと、
前記ＵＥから前記測定データを受信することと、ここにおいて、前記測定データが、不明確セルに対する少なくとも１つの測定値を含み、ここにおいて、前記不明確セルが、リピータ、リモートラジオヘッド、リレー、分散アンテナシステム、または別の近接セルのものと同一の測位基準信号のうちの少なくとも１つを利用する、
前記不明確セルに対する前記少なくとも１つの測定値に少なくとも部分的に基づいて、前記ＵＥの現在位置を計算することとを行うように構成される、
装置。
【請求項１８】
前記ＵＥが、ロングタームエボリューション（ＬＴＥ）ネットワークにアクセスするように構成され、前記不明確セルに対する前記少なくとも１つの測定値が、観測到来時間差（ＯＴＤＯＡ）測位方法のための基準信号時間差（ＲＳＴＤ）測定値である、請求項１７に記載の装置。
【請求項１９】
前記不明確セルが基準セルである、請求項１８に記載の装置。
【請求項２０】
前記不明確セルが隣接セルである、請求項１８に記載の装置。
【請求項２１】
前記少なくとも１つのプロセッサが、ＬＴＥ測位プロトコル（ＬＰＰ）提供支援データメッセージを前記ＵＥへ送ることによって、前記位置特定支援データを前記ＵＥに提供するように構成される、請求項１８に記載の装置。
【請求項２２】
前記少なくとも１つのプロセッサが、前記ＵＥからＬＰＰ提供ロケーション情報メッセージを受信することによって、前記ＵＥから前記測定データを受信するように構成される、請求項１８に記載の装置。
【請求項２３】
前記少なくとも１つのプロセッサが、前記不明確セル用の最も可能性が高いアンテナに基づいて、前記ＵＥの前記現在位置を計算するように構成される、請求項１７に記載の装置。
【請求項２４】
ユーザ機器（ＵＥ）を位置特定するための装置であって、
メモリと、
通信インターフェースと、
前記通信インターフェースおよび前記メモリに動作可能に結合された少なくとも１つのプロセッサとを備え、前記少なくとも１つのプロセッサが、
ロケーションサーバから位置特定支援データを受信することと、ここにおいて、前記位置特定支援データが不明確セルを含む、
測定値を求める要求を前記ロケーションサーバから受信することと、
複数のセルに対する測定値を決定することと、ここにおいて、少なくとも１つの測定値が、前記不明確セルに対するものであり、ここにおいて、前記不明確セルが、リピータ、リモートラジオヘッド、リレー、分散アンテナシステム、または別の近接セルのものと同一の測位基準信号のうちの１つを利用する、
前記不明確セルに対する前記少なくとも１つの測定値に少なくとも部分的に基づいて、前記ＵＥに対するロケーションを決定することとを行うように構成される、
装置。
【請求項２５】
前記少なくとも１つのプロセッサが、前記複数のセルに対する前記測定値を前記ロケーションサーバへ送るようにさらに構成される、請求項２４に記載の装置。
【請求項２６】
前記少なくとも１つのプロセッサが、前記ＵＥによって前記ロケーションを決定するようにさらに構成される、請求項２４に記載の装置。
【請求項２７】
前記少なくとも１つのプロセッサが、前記ロケーションサーバから位置特定支援データを受信するようにさらに構成され、ここにおいて、前記位置特定支援データが、前記不明確セル用の最も可能性が高いアンテナを含み、ここにおいて、前記少なくとも１つのプロセッサが、前記位置特定支援データに基づいて前記ＵＥによって前記ロケーションを決定するように構成される、請求項２６に記載の装置。
【請求項２８】
前記少なくとも１つのプロセッサが、前記ロケーションサーバからＬＴＥ測位プロトコル（ＬＰＰ）提供支援データメッセージを受信するようにさらに構成される、請求項２４に記載の装置。
【請求項２９】
前記少なくとも１つのプロセッサが、ＬＰＰ提供ロケーション情報メッセージを前記ロケーションサーバへ送るようにさらに構成される、請求項２４に記載の装置。
【請求項３０】
前記不明確セルに対する前記少なくとも１つの測定値が、ＬＴＥアクセス用の観測到来時間差（ＯＴＤＯＡ）測位方法のための基準信号時間差（ＲＳＴＤ）の測定値である、請求項２４に記載の装置。
【発明の詳細な説明】
【技術分野】
【０００１】
関連出願の相互参照
[0001]本出願は、本出願の譲受人に譲渡され、その内容全体が参照により本明細書に組み込まれる、「ＳＵＰＰＯＲＴ  ＯＦ  ＯＴＤＯＡ  ＰＯＳＩＴＩＯＮＩＮＧ  ＵＳＩＮＧ  ＡＭＢＩＧＵＯＵＳ  ＣＥＬＬＳ」と題する２０１６年３月２２日に出願された米国特許出願第１５／０７７，７３６号および「ＳＵＰＰＯＲＴ  ＯＦ  ＯＴＤＯＡ  ＰＯＳＩＴＩＯＮＩＮＧ  ＵＳＩＮＧ  ＡＭＢＩＧＵＯＵＳ  ＣＥＬＬＳ」と題する２０１５年６月５日に出願された仮米国出願第６２／１７１，３１４号の利益および優先権を主張する。
【背景技術】
【０００２】
[0002]ワイヤレス通信システムは、第１世代アナログワイヤレス電話サービス（１Ｇ）、第２世代（２Ｇ）デジタルワイヤレス電話サービス（中間の２．５Ｇネットワークを含む）、ならびに第３世代（３Ｇ）および第４世代（４Ｇ）高速データ／インターネット対応ワイヤレスサービスを含む様々な世代を通じて発展してきた。
【０００３】
[0003]より最近では、モバイルフォンおよび他のモバイル端末向けの高速データおよびパケット化音声のワイヤレス通信用の無線アクセスネットワーク技術として、ロングタームエボリューション（ＬＴＥ（登録商標））が第３世代パートナーシッププロジェクト（３ＧＰＰ（登録商標））によって開発されている。ＬＴＥは、モバイル通信用グローバルシステム（ＧＳＭ（登録商標））システムから、ならびにＧＳＭ進化型高速データレート（ＥＤＧＥ）、ユニバーサル移動電気通信システム（ＵＭＴＳ）、および高速パケットアクセス（ＨＳＰＡ）などのＧＳＭの派生物から進化している。
【０００４】
[0004]北米では、ＬＴＥなどのワイヤレス通信システムは、緊急発呼者を適切な公共リソースとリンクさせる拡張９１１すなわちＥ９１１のための解決策を使用する。解決策は、発呼者すなわち発呼者のユーザ機器（ＵＥ）を、物理的な住所または地理的な座標などの特定のロケーションに自動的に関連付けようと試みる。高い確度（たとえば、５０メートル以下の距離誤差）で発呼者を自動的に位置特定し（locating）ロケーションを公共安全応答ポイント（ＰＳＡＰ：Public Safety Answering Point）に提供することは、特に発呼者が彼／彼女のロケーションを通信できない（たとえば、ロケーションを知らないか、または十分に話をすることができない）ことがある場合、公共安全側が緊急の間に必要なリソースを位置特定できるスピードを引き上げることができる。他の理由のためにＵＥのユーザを正確に位置特定することも、−  たとえば、ナビゲーション支援もしくは方向探知をユーザに与えるために、または許可された別のユーザによるユーザ（または、ＵＥ）の追跡を可能にするために、有用または重要であり得る。
【発明の概要】
【０００５】
[0005]ＵＥを地理的に位置特定するために、いくつかの手法がある。１つは、ワイヤレスネットワーク基地局およびアクセスポイント（ＡＰ）によって送信される信号の、ＵＥによって作成される測定値に基づいて、ならびに／またはＵＥによって送信される信号の、ネットワーク要素（たとえば、基地局および／またはＡＰ）によって作成される測定値に基づいて、何らかの形の地上無線位置特定を使用することである。別の手法は、ＵＥ自体に内蔵された全地球測位システム（ＧＰＳ）受信機またはグローバルナビゲーション衛星システム（ＧＮＳＳ：Global Navigation Satellite System）受信機を使用することである。セルラー電話システムにおける地上無線位置特定は、基地局またはＡＰのペア間での送信タイミング差の、ＵＥによって作成される測定値を使用し得、２つまたはより一般には３つ以上のタイミング差測定値に基づいてＵＥの位置を決定するために、三辺測量またはマルチラテレーション技法を採用し得る。
【０００６】
[0006]ＬＴＥ基地局（ｅノードＢまたはｅＮＢと呼ばれる）の測定値にとって適用可能であり、３ＧＰＰによって３ＧＰＰ技術仕様（ＴＳ）３６．２１１、３６．３０５、および３６．３５５において標準化されているそのような１つの地上無線位置特定方法は、観測到来時間差（ＯＴＤＯＡ：Observed Time Difference of Arrival）である。ＯＴＤＯＡは、ＵＥがいくつかのｅノードＢからの特定の信号（たとえば、測位基準信号）の間の時間差を測定し、これらの測定値からロケーションをそれ自体で算出するか、または測定された時間差を拡張サービングモバイルロケーションセンター（Ｅ−ＳＭＬＣ：Enhanced Serving Mobile Location Center）もしくはセキュアユーザプレーン位置特定（ＳＵＰＬ：Secure User Plane Location）ロケーションプラットフォーム（ＳＬＰ）に報告し、次いで、それらがＵＥのロケーションを算出するかのいずれかである、マルチラテレーション方法である。いずれの場合も、測定された時間差、ならびにｅノードＢのロケーションおよび相対的な送信タイミングの知識が、ＵＥの位置を計算するために使用される。（ＵＥにおける異なる基地局間の時間差を測定する際の）ＯＴＤＯＡと類似である別の測位方法は、アドバンストフォワードリンク三辺測量（ＡＦＬＴ：Advanced Forward Link Trilateration）と呼ばれ、第３世代パートナーシッププロジェクト２（３ＧＰＰ２）によって規定されるように、ＣＤＭＡ２０００ネットワークにアクセスしているＵＥを位置特定するために使用され得る。
【０００７】
[0007]ＯＴＤＯＡおよびＡＦＬＴベースの測位方法では、ＵＥは、通信ネットワーク内の２つ以上の基地局および／またはＡＰから受信された信号に対する時間差を測定し得る。測定される基地局およびＡＰに対するロケーション情報は、それらのロケーション（たとえば、ロケーション座標）および送信特性（たとえば、送信タイミング、送信電力、信号コンテンツ、および信号特性）に関する情報を含み得、アルマナック、基地局アルマナック（ＢＳＡ：base station almanac）、アルマナックデータ、またはＢＳＡデータと呼ばれることがある。ＵＥまたはＥ−ＳＭＬＣもしくはＳＬＰなどのロケーションサーバのいずれかよってＵＥに対する位置を計算するために、ＵＥによって測定される（たとえば、ＯＴＤＯＡまたはＡＦＬＴのための）観測時間差が、測定される基地局（たとえば、ｅノードＢ）および／またはＡＰのための知られているＢＳＡとともに（in conjunction with）使用され得る。しかしながら、複製された無線周波数（ＲＦ）信号が異なる無線ソースからＵＥによって受信および測定される場合（たとえば、サイマルキャスト）、問題が起こり得る。複製信号をブロードキャスト（または、サイマルキャスト）し得る無線ソースの例は、分散アンテナシステム（ＤＡＳ：Distributed Antenna System）と、リモートラジオヘッド（ＲＲＨ：Remote Radio Head）と、リピータと、リレーとを含む。ＵＥが複数の無線ソースから複製信号を受信しているエリアの中でＯＴＤＯＡまたはＡＦＬＴ測位が試みられるとき、ＵＥも通信ネットワークも、通常、複製された信号がどの無線ソースから受信されたのかを決定することができないので、複製信号に対してＵＥによって作成される信号測定値は、通常、廃棄される（すなわち、位置計算において使用されない）。無線ソースが決定され得ない場合、無線ソースのロケーションの知識に依拠する測位方法（たとえば、ＯＴＤＯＡ、ＡＦＬＴ）は使用され得ない。いくつかの場合、ネットワーク事業者は、これらの信号の任意の測定値の不明確さを回避または低減するために、複製無線ソースからの少なくともいくつかの信号コンテンツに対して送信電力をターンオフまたは低減し得る。しかしながら、このことはまた、ＵＥが別の方法で（otherwise）測定することができる無線ソースの数を低減することによって、ＵＥの測位を悪化させる（impair）ことがある。
【０００８】
[0008]本開示に従ってユーザ機器（ＵＥ）を位置特定するための方法の一例は、位置特定支援データが少なくとも１つの不明確セル（ambiguous cell）を含むように、位置特定支援データをＵＥに提供することと、測定データを求める要求をＵＥに提供することと、不明確セルがリピータ、リモートラジオヘッド、リレー、分散アンテナシステム、または別の近接セルのものと同一の測位基準信号のうちの少なくとも１つを利用するように、測定データが不明確セルに対する少なくとも１つの測定値を含むように、ＵＥから測定データを受信することと、不明確セルに対する少なくとも１つの測定値に少なくとも部分的に基づいて、ＵＥの現在位置を計算することとを含む。
【０００９】
[0009]そのような方法の実装形態は、以下の特徴のうちの１つまたは複数を含み得る。ＵＥは、ロングタームエボリューション（ＬＴＥ）ネットワークにアクセスするように構成され得、不明確セルに対する少なくとも１つの測定値は、観測到来時間差（ＯＴＤＯＡ）測位方法のための基準信号時間差（ＲＳＴＤ：reference signal time difference）測定値であり得る。不明確セルは基準セルであり得る。不明確セルは隣接セルであり得る。位置特定支援データをＵＥに提供することは、ＬＴＥ測位プロトコル（ＬＰＰ：LTE Positioning Protocol）提供支援データメッセージをＵＥへ送ることを含み得る。ＵＥから測定データを受信することは、ＵＥからＬＰＰ提供ロケーション情報メッセージを受信することを含み得る。ＵＥの現在位置を計算することは、不明確セル用のアルマナックデータに基づき得る。ＵＥの現在位置を計算することは、不明確セル用の最も可能性が高いアンテナに基づき得る。
【００１０】
[0010]本開示に従ってユーザ機器（ＵＥ）を位置特定するための方法の一例は、位置特定支援データが不明確セルを含むように、ロケーションサーバから位置特定支援データを受信することと、測定値を求める要求をロケーションサーバから受信することと、不明確セルがリピータ、リモートラジオヘッド、リレー、分散アンテナシステム、または別の近接セルのものと同一の測位基準信号のうちの１つを利用するように、複数のセルに対する１つまたは複数の測定値を作成することと、ここにおいて、少なくとも１つの測定値が、不明確セルに対するものである、不明確セルに対する少なくとも１つの測定値に少なくとも部分的に基づいて、ＵＥに対するロケーションの決定を可能にすることとを含む。
【００１１】
[0011]そのような方法の実装形態は、以下の特徴のうちの１つまたは複数を含み得る。ＵＥに対するロケーションの決定を可能にすることは、複数のセルに対する測定値をロケーションサーバへ送ることを備える。ＵＥに対するロケーションの決定を可能にすることは、ＵＥによってロケーションを決定することを備える。ＵＥによってロケーションを決定することは、位置特定支援データに基づく。ＵＥによってロケーションを決定することは、不明確セルに関連する最も可能性が高いアンテナに基づく。ロケーションサーバから位置特定支援データを受信することは、ロケーションサーバからＬＴＥ測位プロトコル（ＬＰＰ）提供支援データメッセージを受信することを含み得る。複数のセルに対する測定値をロケーションサーバへ送ることは、ＬＰＰ提供ロケーション情報メッセージをロケーションサーバへ送ることを含み得る。不明確セルに対する少なくとも１つの測定値は、ＬＴＥアクセス用の観測到来時間差（ＯＴＤＯＡ）測位方法のための基準信号時間差（ＲＳＴＤ）の測定値であり得る。不明確セルは基準セルであり得る。不明確セルは隣接セルであり得る。
【００１２】
[0012]本開示に従ってユーザ機器（ＵＥ）を位置特定するための装置の一例は、メモリと、通信サブシステムと、メモリおよび通信サブシステムに動作可能に結合された少なくとも１つのプロセッサとを含み、少なくとも１つのプロセッサは、位置特定支援データをＵＥに提供することと、ここにおいて、位置特定支援データが少なくとも１つの不明確セルを含む、測定データを求める要求をＵＥに提供することと、不明確セルがリピータ、リモートラジオヘッド、リレー、分散アンテナシステム、または別の近接セルのものと同一の測位基準信号のうちの少なくとも１つを利用するように、測定データが不明確セルに対する少なくとも１つの測定値を含むように、ＵＥから測定データを受信することと、不明確セルに対する少なくとも１つの測定値に少なくとも部分的に基づいて、ＵＥの現在位置を計算することとを行うように構成される。
【００１３】
[0013]そのような装置の実装形態は、以下の特徴のうちの１つまたは複数を含み得る。ＵＥは、ロングタームエボリューション（ＬＴＥ）ネットワークにアクセスするように構成され得、不明確セルに対する少なくとも１つの測定値は、観測到来時間差（ＯＴＤＯＡ）測位方法のための基準信号時間差（ＲＳＴＤ）測定値である。不明確セルは基準セルであり得る。不明確セルは隣接セルであり得る。少なくとも１つのプロセッサは、ＬＴＥ測位プロトコル（ＬＰＰ）提供支援データメッセージをＵＥへ送ることによって、位置特定支援データをＵＥに提供するように構成され得る。少なくとも１つのプロセッサは、ＵＥからＬＰＰ提供ロケーション情報メッセージを受信することによって、ＵＥから測定データを受信するように構成され得る。少なくとも１つのプロセッサは、不明確セル用のアルマナックデータに基づいて、ＵＥの現在位置を計算するように構成され得る。少なくとも１つのプロセッサは、不明確セル用の最も可能性が高いアンテナに基づいて、ＵＥの現在位置を計算するように構成され得る。
【００１４】
[0014]本開示に従ってユーザ機器（ＵＥ）を位置特定するための装置の一例は、メモリと、通信インターフェースと、通信インターフェースおよびメモリに動作可能に結合された少なくとも１つのプロセッサとを含み、少なくとも１つのプロセッサは、ロケーションサーバから位置特定支援データを受信することと、ここにおいて、位置特定支援データが不明確セルを含む、測定値を求める要求をロケーションサーバから受信することと、不明確セルがリピータ、リモートラジオヘッド、リレー、分散アンテナシステム、または別の近接セルのものと同一の測位基準信号のうちの１つを利用するように、少なくとも１つの測定値が不明確セルに対するものであるように、複数のセルに対する測定値を決定することと、不明確セルに対する少なくとも１つの測定値に少なくとも部分的に基づいて、ＵＥに対するロケーションを決定することとを行うように構成される。
【００１５】
[0015]そのような装置の実装形態は、以下の特徴のうちの１つまたは複数を含み得る。少なくとも１つのプロセッサは、複数のセルに対する測定値をロケーションサーバへ送るようにさらに構成され得る。少なくとも１つのプロセッサは、ＵＥによってロケーションを決定するようにさらに構成され得る。少なくとも１つのプロセッサは、位置特定支援データが不明確セルを含むように、および少なくとも１つのプロセッサが位置特定支援データに基づいてＵＥによってロケーションを決定するように構成されるように、ロケーションサーバから位置特定支援データを受信するようにさらに構成され得る。少なくとも１つのプロセッサは、位置特定支援データが不明確セル用の最も可能性が高いアンテナを含むように、ロケーションサーバから位置特定支援データを受信するようにさらに構成され得、ここにおいて、少なくとも１つのプロセッサは、位置特定支援データに基づいてＵＥによってロケーションを決定するように構成される。少なくとも１つのプロセッサは、ロケーションサーバからＬＴＥ測位プロトコル（ＬＰＰ）提供支援データメッセージを受信するようにさらに構成され得る。少なくとも１つのプロセッサは、ＬＰＰ提供ロケーション情報メッセージをロケーションサーバへ送るようにさらに構成され得る。不明確セルに対する少なくとも１つの測定値は、ＬＴＥアクセス用の観測到来時間差（ＯＴＤＯＡ）測位方法のための基準信号時間差（ＲＳＴＤ）の測定値であり得る。
【００１６】
[0016]本開示に従ってユーザ機器（ＵＥ）を位置特定するための方法の一例は、不明確セルがリピータ、リモートラジオヘッド、リレー、分散アンテナシステム、または別の近接セルのものと同一の測位基準信号のうちの少なくとも１つを利用するように、測定データが不明確セルに対する少なくとも１つの測定値を含むように、ＵＥから測定データを受信することと、不明確セルに対する少なくとも１つの測定値に少なくとも部分的に基づいて、ＵＥの現在位置を計算することとを含む。
【００１７】
[0017]そのような方法の実装形態は、以下の特徴のうちの１つまたは複数を含み得る。位置特定支援データは、位置特定支援データが不明確セルを含むように、ＵＥに提供され得、測定データを求める要求は、ＵＥに提供され得る。ＵＥは、ロングタームエボリューション（ＬＴＥ）ネットワークにアクセスするように構成され得、不明確セルに対する少なくとも１つの測定値は、観測到来時間差（ＯＴＤＯＡ）測位方法のための基準信号時間差（ＲＳＴＤ）測定値である。不明確セルは基準セルであり得る。不明確セルは隣接セルであり得る。位置特定支援データをＵＥに提供することは、ＬＴＥ測位プロトコル（ＬＰＰ）提供支援データメッセージをＵＥへ送ることを含み得る。ＵＥから測定データを受信することは、ＵＥからＬＰＰ提供ロケーション情報メッセージを受信することを含み得る。ＵＥの現在位置を計算することは、不明確セル用のアルマナックデータに基づき得る。
【００１８】
[0018]本開示を一致させるユーザ機器（ＵＥ）を位置特定するための例示的な方法は、不明確セルがリピータ、リモートラジオヘッド、リレー、分散アンテナシステム、または別の近接セルのものと同一の測位基準信号のうちの１つを利用するように、少なくとも１つの測定値が不明確セルに対するものであるように、複数のセルに対する測定値を作成することと、不明確セルに対する少なくとも１つの測定値に少なくとも部分的に基づいて、ＵＥに対するロケーションの決定を可能にすることとを含む。
【００１９】
[0019]そのような方法の実装形態は、以下の特徴のうちの１つまたは複数を含み得る。ＵＥに対するロケーションの決定を可能にすることは、複数のセルに対する測定値をロケーションサーバへ送ることを含み得る。位置特定支援データは、位置特定支援データが不明確セルを含み得るように、ロケーションサーバから受信され得、測定値を求める要求は、複数のセルに対する測定値をロケーションサーバへ送ることが要求に応答しているように、ロケーションサーバから受信され得る。ＵＥに対するロケーションの決定を可能にすることは、ＵＥによってロケーションを決定することを含み得る。位置特定支援データは、位置特定支援データが不明確セルを含むように、およびＵＥによってロケーションを決定することが位置特定支援データに基づくように、ロケーションサーバから受信され得る。ロケーションサーバから位置特定支援データを受信することは、ロケーションサーバからＬＴＥ測位プロトコル（ＬＰＰ）提供支援データメッセージを受信することを含み得る。複数のセルに対する測定値をロケーションサーバへ送ることは、ＬＰＰ提供ロケーション情報メッセージをロケーションサーバへ送ることを含み得る。不明確セルに対する少なくとも１つの測定値は、ＬＴＥアクセス用の観測到来時間差（ＯＴＤＯＡ）測位方法のための基準信号時間差（ＲＳＴＤ）の測定値であり得る。不明確セルは基準セルであり得る。基準セルは隣接セルであり得る。
【００２０】
[0020]本開示に従ってユーザ機器（ＵＥ）を位置特定するためのコンピュータ可読媒体の一例は、位置特定支援データが少なくとも１つの不明確セルを含むように、位置特定支援データをＵＥに提供するためのコードと、測定データを求める要求をＵＥに提供するためのコードと、不明確セルがリピータ、リモートラジオヘッド、リレー、分散アンテナシステム、または別の近接セルのものと同一の測位基準信号のうちの少なくとも１つを利用するように、測定データが不明確セルに対する少なくとも１つの測定値を含むように、ＵＥから測定データを受信するためのコードと、不明確セルに対する少なくとも１つの測定値に少なくとも部分的に基づいて、ＵＥの現在位置を計算するためのコードとを含む。
【００２１】
[0021]本開示に従ってユーザ機器（ＵＥ）を位置特定するためのコンピュータ可読媒体の一例は、位置特定支援データが不明確セルを含むように、ロケーションサーバから位置特定支援データを受信するためのコードと、測定値を求める要求をロケーションサーバから受信するためのコードと、不明確セルがリピータ、リモートラジオヘッド、リレー、分散アンテナシステム、または別の近接セルのものと同一の測位基準信号のうちの１つを利用するように、複数のセルに対する１つまたは複数の測定値を作成するためのコードと、ここにおいて、少なくとも１つの測定値が、不明確セルに対するものである、不明確セルに対する少なくとも１つの測定値に少なくとも部分的に基づいて、ＵＥに対するロケーションの決定を可能にするためのコードとを含む。
【００２２】
[0022]本明細書で説明する項目および／または技法は、以下の機能のうちの１つまたは複数、ならびに述べられていない他の機能を提供し得る。不明確セルと不明確でないセルとを含む位置特定支援データが、ロケーションサーバからＵＥに提供される。不明確セルは、分散アンテナシステム（ＤＡＳ）、リモートラジオヘッド（ＲＲＨ）、リピータ、およびリレーなどの、複製信号をブロードキャスト（または、サイマルキャスト）する無線ソースに関連付けられる。基準セルまたは隣接セルは不明確セルであり得る。ＵＥは、位置特定支援データに基づいて基準信号時間差（ＲＳＴＤ）測定値を決定し得る。ＵＥは、どのセルが不明確セルであるのかを認識しないことがある。ロケーションサーバまたはＵＥは、ＵＥに対する現在のロケーションを決定するために、ＲＳＴＤ測定値を処理し得る。現在のロケーションは、１つまたは複数の不明確セルに対する１つまたは複数の測定値に少なくとも部分的に基づき得る。さらに、述べられたもの以外の手段によって上述の効果が達成されることが可能であり得、述べられた項目／技法が、必ずしも述べられた効果を生み出すとは限らない。
【図面の簡単な説明】
【００２３】
【図１】[0023]ユーザ機器の一実施形態の構成要素のブロック図。
【図２】[0024]３ＧＰＰロングタームエボリューション（ＬＴＥ）アクセスを用いた地上測位のための例示的なアーキテクチャを示す図。
【図３】[0025]不明確セルを使用する測位をサポートするための例示的なワイヤレス通信ネットワークの高レベルアーキテクチャを示す図。
【図４】[0026]不明確セルを使用する測位をサポートするための例示的なＬＴＥ測位プロトコルのメッセージフロー図。
【図５】[0027]測位をサポートするための通信ネットワークサーバ上の例示的なデータ構造を示す図。
【図６】[0028]不明確セルに基づいてＵＥの現在位置を計算するためのプロセスのブロックフロー図。
【図７】[0029]ＯＴＤＯＡに対する測定値に基づいてロケーションをＵＥまたは外部クライアントに提供するためのプロセスのブロックフロー図。
【図８Ａ】[0030]１つまたは複数の不明確セルに基づいて現在のロケーションを決定するためにＵＥを利用するためのプロセスのブロックフロー図。
【図８Ｂ】[0031]１つまたは複数の不明確セルに基づいて現在のロケーションを決定するためにＵＥを利用するための別のプロセスのブロックフロー図。
【図９】[0032]不明確セルを使用する測位における使用のためのコンピュータシステムの一実施形態の構成要素のブロック図。
【図１０】[0033]ＵＥを位置特定するための不明確セルの使用を示す高レベルアーキテクチャを示す図。
【発明を実施するための形態】
【００２４】
[0034]不明確な無線ソースを用いた測位をサポートするための技法が説明される。分散アンテナシステム（ＤＡＳ）、１つまたは複数のリモートラジオヘッド（ＲＲＨ）、リピータ、またはリレーを採用するか、あるいは１つまたは複数の他の近接セルと同じ測位基準信号（ＰＲＳ：Positioning Reference Signal）をブロードキャストする、任意のセルＣを含むワイヤレス通信ネットワークの共通の特性は、セルＣによってまたはセルＣに代わって送信された信号（たとえば、ＰＲＳ信号）の受信が、普通は信号の的確な（exact）ソース（たとえば、セルＣ内のアンテナソース）を識別しないことである。そのようなセルは、「不明確セル」と見なされ得る。信号ソース（たとえば、ＤＡＳアンテナ素子）が常に識別され得るとは限らないので、ＯＴＤＯＡ測位およびＡＦＬＴ測位は、普通は（normally）不明確セルの測定値を使用することができない。このことは通常、測位を、さほど正確でなく、さほど信頼できないものにする。本明細書で説明する例示的な技法では、ＯＴＤＯＡ測定値はそれ自体、不明確セルの中の被測定無線ソース（たとえば、ＤＡＳアンテナ素子または特定のＲＲＨ）を識別するために使用され得る。場合によっては、他のロケーション測定値が、不明確な無線ソースを識別するために使用され得る。方法は、ＯＴＤＯＡ、ＡＦＬＴ、またはいくつかの類似の測位方法を使用してＵＥの位置を計算するとき、１つまたは複数の余分なＯＴＤＯＡ測定値の使用を可能にし得、そのことは、不明確セルから強い信号が受信されるが不明確でないセルから弱い信号しか受信されないとき、ロケーション確度を著しく高め得る。
【００２５】
[0035]本明細書でユーザ機器（ＵＥ）と呼ぶクライアントデバイスは、モバイルまたは固定であり得、無線アクセスネットワーク（ＲＡＮ：radio access network）と通信し得る。本明細書で使用する「ＵＥ」という用語は、「アクセス端末」または「ＡＴ」、「ワイヤレスデバイス」、「加入者デバイス」、「モバイルデバイス」、「加入者端末」、「加入者ステーション」、「ユーザ端末」またはＵＴ、「モバイル端末」、「移動局」、ＳＵＰＬ対応端末（ＳＥＴ：SUPL enabled terminal）、ターゲットデバイス、ターゲットＵＥ、デバイス、およびそれらの変形と互換的に呼ばれることがある。ＵＥは、セルフォン、スマートフォン、ラップトップ、タブレット、アセットタグ、ＰＤＡ、マシンツーマシン（Ｍ２Ｍ）デバイス、または直接の手段を介して、および／あるいは１つもしくは複数のネットワークまたは１つもしくは複数のネットワーク要素を介して、他のＵＥと、および／または他のエンティティとワイヤレスに通信することを可能にされた、任意の他のデバイスであってよい。概して、ＵＥは、ＲＡＮを介してコアネットワークと通信することができ、コアネットワークを通じて（また、時にはＲＡＮを通じて）、ＵＥは、インターネットなどの外部ネットワークと接続され得る。ＲＡＮは、３ＧＰＰによって規定されるようなＧＳＭ、ＵＭＴＳ、およびＬＴＥ、または３ＧＰＰ２によって規定されるようなＣＤＭＡ２０００などのセルラーベースの無線技術を使用して、ＵＥからのワイヤレス通信をサポートし得る。ＵＥはまた、有線のアクセスネットワーク、（たとえば、ＩＥＥＥ８０２．１１などに基づく）ＷｉＦｉ（登録商標）ネットワーク、Ｂｌｕｅｔｏｏｔｈ（登録商標）ネットワークなどを介してコアネットワークおよび／またはインターネットに接続するための、他のメカニズムを採用し得る。ＵＥは、限定はしないが、ＰＣカード、コンパクトフラッシュ（登録商標）デバイス、外部モデムまたは内部モデム、ワイヤレス電話またはワイヤライン電話などを含む、いくつかのタイプのデバイスのいずれかによって組み込まれ得る。それを通じてＵＥが信号をＲＡＮへ送ることができる通信リンクは、アップリンクチャネル（たとえば、逆方向トラフィックチャネル、逆方向制御チャネル、アクセスチャネルなど）と称される。それを通じてＲＡＮが信号をＵＥへ送ることができる通信リンクは、ダウンリンクまたは順方向リンクチャネル（たとえば、ページングチャネル、制御チャネル、ブロードキャストチャネル、順方向トラフィックチャネルなど）と称される。
【００２６】
[0036]ＵＥのロケーションは、ロケーション推定値、位置、位置推定値、位置定位もしくは定位と呼ばれることがあるか、またはいくつかの他の名称によって呼ばれることがあり、緯度、経度、および場合によっては高度などのロケーション座標を備え得る。場合によっては、ロケーション座標は局所的であってよく、その時、ｘ、ｙ、およびｚ（またはＸ、Ｙ、およびＺ）座標と時には呼ばれることがあり、ただし、ｘ（または、Ｘ）座標は特定の方向における水平距離（たとえば、知られている所与の起点の東または西の距離）を指し、ｙ（または、Ｙ）座標はｘ（または、Ｘ）方向に対する直角における水平距離（たとえば、知られている所与の起点の北または南の距離）を指し、ｚ（または、Ｚ）座標は垂直距離（たとえば、局所的な地上レベルの上または下の距離）を指す。ＵＥのロケーションを算出するとき、局所的なｘ、ｙ、および場合によってはｚ座標の値を求め、次いで、必要な場合、局所的な座標を（たとえば、緯度、経度、および平均海面の上または下の高度に対する）絶対的な座標に変換することが一般的である。
【００２７】
[0037]図１を参照すると、本明細書の様々な技法が利用され得るユーザ機器（ＵＥ）１００が図示される。ＵＥ１００は、プロセッサ１１１（または、プロセッサコア）とメモリ１４０とを含む。ＵＥ１００は、随意に、パブリックバス１０１またはプライベートバス（図示せず）によってメモリ１４０に動作可能に接続された信頼環境（trusted environment）を含み得る。ＵＥ１００はまた、通信インターフェース１２０と、ワイヤレスネットワーク上でワイヤレスアンテナ１２２を介してワイヤレス信号１２３を送り受信するように構成されたワイヤレストランシーバ１２１とを含み得る。ワイヤレストランシーバ１２１は、通信インターフェース１２０を介してバス１０１に接続されている。ここで、ＵＥ１００は、単一のワイヤレストランシーバ１２１を有するものとして示される。しかしながら、ＵＥ１００は、代替として、Ｗｉ−Ｆｉ（登録商標）、ＣＤＭＡ、ワイドバンドＣＤＭＡ（ＷＣＤＭＡ（登録商標））、ロングタームエボリューション（ＬＴＥ）、ＢＬＵＥＴＯＯＴＨ短距離ワイヤレス通信技術などの複数の通信規格をサポートするために、複数のワイヤレストランシーバ１２１および／または複数のワイヤレスアンテナ１２２を有することができる。
【００２８】
[0038]通信インターフェース１２０および／またはワイヤレストランシーバ１２１は、複数のキャリア（異なる周波数の波形信号）上での動作をサポートし得る。マルチキャリア送信機は、複数のキャリア上で同時に被変調信号を送信することができる。各被変調信号は、符号分割多元接続（ＣＤＭＡ）信号、時分割多元接続（ＴＤＭＡ）信号、直交周波数分割多元接続（ＯＦＤＭＡ）信号、シングルキャリア周波数分割多元接続（ＳＣ−ＦＤＭＡ）信号などであってよい。各被変調信号は、異なるキャリア上で送られ得、パイロット、制御情報、オーバーヘッド情報、データなどを搬送し得る。
【００２９】
[0039]ＵＥ１００はまた、ユーザインターフェース１５０（たとえば、ディスプレイ、グラフィカルユーザインターフェース（ＧＵＩ））と、（ワイヤレスアンテナ１２２と同じアンテナであってよく、または異なってもよい）ＳＰＳアンテナ１５８を介してＳＰＳ信号１５９を（たとえば、ＳＰＳ衛星から）受信する衛星測位システム（ＳＰＳ：Satellite Positioning System）受信機１５５とを含み得る。ＳＰＳ受信機１５５は、単一のグローバルナビゲーション衛星システム（ＧＮＳＳ）、または複数のそのようなシステムと通信することができる。ＧＮＳＳは、限定はしないが、全地球測位システム（ＧＰＳ）、Ｇａｌｉｌｅｏ、Ｇｌｏｎａｓｓ、Ｂｅｉｄｏｕ（Ｃｏｍｐａｓｓ）などを含むことができる。ＳＰＳ衛星は、衛星、スペースビークル（ＳＶ：space vehicles）などとも呼ばれる。ＳＰＳ受信機１５５は、ＳＰＳ信号１５９を測定し、ＵＥ１００のロケーションを決定するためにＳＰＳ信号１５９の測定値を使用し得る。プロセッサ１１１、メモリ１４０、デジタル信号プロセッサ（ＤＳＰ）１１２、および／または専用プロセッサ（図示せず）も、ＳＰＳ信号１５９を全体的もしくは部分的に処理するために、および／またはＵＥ１００のロケーションを計算するために、ＳＰＳ受信機１５５とともに利用され得る。代替として、ＵＥ１００は、ＵＥロケーションを算出するロケーションサーバ（たとえば、Ｅ−ＳＭＬＣ）へのＳＰＳ測定値の転送を代わりにサポートし得る。ＳＰＳ信号１５９または他のロケーション信号からの情報の記憶は、メモリ１４０またはレジスタ（図示せず）を使用して実行される。１つのプロセッサ１１１、１つのＤＳＰ１１２、および１つのメモリ１４０しか図１に示されないが、これらの構成要素のいずれか、ペア、またはすべてのうちの２つ以上が、ＵＥ１００によって使用されてよい。ＵＥ１００に関連するプロセッサ１１１およびＤＳＰ１１２は、バス１０１に接続されている。
【００３０】
[0040]メモリ１４０は、１つまたは複数の命令またはコードとして機能を記憶する非一時的コンピュータ可読記憶媒体（または、媒体）を含むことができる。メモリ１４０を構成することができる媒体は、限定はしないが、ＲＡＭ、ＲＯＭ、ＦＬＡＳＨ、ディスクドライブなどを含む。概して、メモリ１４０によって記憶される機能は、汎用プロセッサ１１１、専用プロセッサ、またはＤＳＰ１１２によって実行される。したがって、メモリ１４０は、説明する機能をプロセッサ１１１および／またはＤＳＰ１１２に実行させるように構成されたソフトウェア（プログラミングコード、命令など）を記憶するプロセッサ可読メモリおよび／またはコンピュータ可読メモリである。代替として、ＵＥ１００の１つまたは複数の機能は、全体的または部分的にハードウェアで実行されてもよい。
【００３１】
[0041]ＵＥ１００は、ＵＥ１００にとって利用可能な視界および／または情報内の他の通信エンティティに基づいて、関連するシステム内でのその現在位置を様々な技法を使用して推定することができる。たとえば、ＵＥ１００は、１つまたは複数のワイヤレスローカルエリアネットワーク（ＷＬＡＮ）に関連するアクセスポイント（ＡＰ）、ＢＬＵＥＴＯＯＴＨまたはＺＩＧＢＥＥ（登録商標）などの短距離ワイヤレス通信技術を利用するパーソナルエリアネットワーク（ＰＡＮ）、グローバルナビゲーション衛星システム（ＧＮＳＳ）または他の衛星測位システム（ＳＰＳ）衛星、および／あるいはマップサーバまたは他のサーバ（たとえば、Ｅ−ＳＭＬＣまたはＳＬＰ）から取得されたマップデータから取得された情報を使用して、その位置を推定することができる。場合によっては、ロケーションサーバは、Ｅ−ＳＭＬＣ、ＳＬＰ、またはスタンドアロンサービングモバイルロケーションセンター（ＳＡＳ）であってよく、ＵＥ１００が信号（たとえば、ＷＬＡＮ  ＡＰ、セルラー基地局、ＧＮＳＳ衛星からの信号）を獲得するとともにこれらの信号を使用してロケーション関連測定値を作成することを可能にまたは支援するために、支援データをＵＥ１００に提供し得る。ＵＥ１００は、次いで、ロケーション推定値を算出するために測定値をロケーションサーバに提供し得るか（「ＵＥ支援型」測位と呼ばれることがある）、または測定値に基づいて、場合によってはロケーションサーバによって提供される（たとえば、ＯＴＤＯＡ測位およびＡＦＬＴ測位における使用のための、ＧＮＳＳ衛星に対する軌道データおよびタイミングデータ、またはＷＬＡＮ  ＡＰおよび／もしくはセルラー基地局の精密なロケーション座標などの）他の支援データにも基づいて、ロケーション推定値をそれ自体で（itself）算出し得る（「ＵＥベース」測位と呼ばれることがある）。
【００３２】
[0042]一実施形態では、ＵＥ１００は、たとえば、適切なレンズ構成を有する相補型金属酸化物半導体（ＣＭＯＳ）イメージセンサーなどのカメラ１３０（たとえば、前面および／または背面の）を含み得る。電荷結合デバイス（ＣＣＤ）および裏側照光型（back side illuminated）ＣＭＯＳなどの他のイメージング技術が使用されてよい。カメラ１３０は、ＵＥ１００の測位を支援するための画像情報を取得および提供するように構成され得る。一例では、画像認識を実行しロケーション推定プロセスを行うために、１つまたは複数の外部の画像処理サーバ（たとえば、リモートサーバ）が使用されてよい。ＵＥ１００は、同様にＵＥ１００に対するロケーションを算出するために使用され得るか、またはＵＥ１００に対するロケーションを算出することを支援するために使用され得る、他のセンサー１３５を含んでよい。センサー１３５は、慣性センサー（たとえば、加速度計、ジャイロスコープ、磁力計、コンパス）、ならびに気圧計、温度計、湿度計、および他のセンサーを含み得る。
【００３３】
[0043]図１をさらに参照しながら図２を参照すると、ネットワーク２５０用の３ＧＰＰロングタームエボリューション（ＬＴＥ）アクセスを用いたＵＥ１００の測位をサポートするためのアーキテクチャ２００が示される。ネットワーク２５０は、（たとえば、ＵＥ１００による）ＬＴＥアクセスと、場合によってはＣＤＭＡ２０００、ワイドバンドＣＤＭＡ（ＷＣＤＭＡ）、および／またはＷｉＦｉなどの他のアクセスタイプ（図２に示さず）とをサポートする発展型パケットシステム（ＥＰＳ）であってよい。ＵＥ１００は、ネットワーク２５０から通信サービスを取得するために無線アクセスネットワーク（ＲＡＮ）の中のサービング発展型ノードＢ（ｅノードＢまたはｅＮＢ）２０２と通信し得る。ＲＡＮは、簡単のために図２に示されない他のネットワークエンティティを含み得、発展型ユニバーサル地上波無線アクセスネットワーク（Ｅ−ＵＴＲＡＮ）と呼ばれることもある。ｅＮＢ２０２は、ノードＢ、基地局、アクセスポイントなどと呼ばれることもある。「アクセスポイント」および「基地局」という用語は、本明細書では互換的に使用される。ＵＥ１００は、（ｉ）ｅＮＢ２０２から、ならびにネットワーク２５０の中の他の基地局（たとえば、他のｅＮＢ）およびＡＰから信号を受信し得、（ｉｉ）ソースｅＮＢおよび他の基地局の識別情報（identities）を取得し得、ならびに／または受信信号からソースセルの識別情報を取得し得、ならびに／あるいは（ｉｉｉ）到来時間（ＴＯＡ：time of arrival）、ＯＴＤＯＡ測位のための基準信号時間差（ＲＳＴＤ）、ＡＦＬＴ測位のためのパイロット位相、および／または信号強度（たとえば、受信信号強度表示（ＲＳＳＩ：received signal strength indication））、信号品質（たとえば、信号対雑音比（Ｓ／Ｎ））、および／または拡張セルＩＤ（ＥＣＩＤ：enhanced cell ID）測位のための信号ラウンドトリップ伝搬時間（ＲＴＴ：round trip propagation time）、の測定値などの、受信信号の測定値を取得し得る。ＵＥ１００に対するロケーション推定値を（たとえば、ＵＥ１００によって、またはＥ−ＳＭＬＣ２０８もしくはＳＬＰ２３２などのロケーションサーバによって）導出するために、ｅＮＢ識別情報、基地局識別情報、および／またはセル識別情報、ならびに異なる信号測定値が使用され得る。１つのｅＮＢ２０２しか図２に示されないが、アーキテクチャ２００（たとえば、ネットワーク２５０）は、分散アンテナシステム（ＤＡＳ）、リモートラジオヘッド（ＲＲＨ）、リピータ、およびリレーとともに使用されるような１つまたは複数のアンテナシステムを各々が有する、複数のｅＮＢならびに／または他の基地局および／もしくはＡＰを含んでよい。
【００３４】
[0044]ｅＮＢ２０２は、ＵＥ１００用のサービングＭＭＥ２０４と通信し得、それは、モビリティ管理、ＰＤＮゲートウェイ選択、認証、ベアラ管理などの様々な制御機能を実行し得る。ＭＭＥ２０４は、拡張サービングモバイルロケーションセンター（Ｅ−ＳＭＬＣ）２０８およびゲートウェイモバイルロケーションセンター（ＧＭＬＣ：Gateway Mobile Location Center）２０６と通信し得る。Ｅ−ＳＭＬＣ２０８は、ＵＥ１００を含むＵＥのためのＵＥベース、ＵＥ支援型、ネットワークベース、および／またはネットワーク支援型の測位方法をサポートし得、１つまたは複数のＭＭＥをサポートし得る。Ｅ−ＳＭＬＣ２０８は、３ＧＰＰ技術仕様（ＴＳ）２３．２７１および３６．３０５において規定されるようなＬＴＥアクセス用の３ＧＰＰ制御プレーン位置特定解決策をサポートし得る。Ｅ−ＳＭＬＣ２０８は、ロケーションサーバ（ＬＳ）、スタンドアロンＳＭＬＣ（ＳＡＳ）などと呼ばれることもある。ＧＭＬＣ２０６は、ロケーションサービスをサポートするための様々な機能を実行し得、加入者プライバシー、許可、認証、課金などのサービスを提供し得る。ロケーション検索機能（ＬＲＦ：Location Retrieval Function）２３０は、ＧＭＬＣ２０６と通信し得、ｉ３  ＥＳＩｎｅｔ２４２およびｉ３  ＰＳＡＰ２４４などの公共安全応答ポイント（ＰＳＡＰ）、ならびにレガシー緊急サービス（ＥＳ：Emergency Service）ネットワーク２４６およびレガシーＰＳＡＰ２４８などのレガシーシステムへの、経路ＩＰベースの緊急呼を経路設定（route）および支援し得る。ＬＲＦ２３０はまた、緊急呼を行っているＵＥ（たとえば、ＵＥ１００）に対するＰＳＡＰ（たとえば、ＰＳＡＰ２４４および２４８）からのロケーション要求をサポートし得、これらのＵＥに対するロケーションを取得し得るとともに、要求しているＰＳＡＰにロケーションを戻し得る。ＬＲＦ２３０が実行する経路指定機能とロケーション機能とをサポートするために、ＬＲＦ２３０は、異なるターゲットＵＥ（たとえば、ＵＥ１００）のロケーションをＧＭＬＣ２０６などのＧＭＬＣに要求するように構成され得る。その場合、ＧＭＬＣ２０６は、ターゲットＵＥ（たとえば、ＵＥ１００）に対する任意のロケーション要求をＭＭＥ２０４などのＭＭＥに転送し得、ＭＭＥ２０４は、Ｅ−ＳＭＬＣ２０８などのＥ−ＳＭＬＣに要求を転送し得る。Ｅ−ＳＭＬＣ（たとえば、Ｅ−ＳＭＬＣ２０８）は、次いで、ターゲットＵＥ（たとえば、ＵＥ１００）に対するロケーション関連測定値を、ターゲットＵＥ用のサービングｅＮＢ（たとえば、ｅＮＢ２０２）から、および／またはターゲットＵＥから取得し得、ターゲットＵＥに対する任意のロケーション推定値を算出または確認し得、ＭＭＥおよびＧＭＬＣ（たとえば、ＭＭＥ２０４およびＧＭＬＣ２０６）を経由してＬＲＦ２３０にロケーション推定値を戻し得る。ＬＲＦ２３０は同様に、または代わりに、異なるターゲットＵＥ（たとえば、ＵＥ１００）のロケーションを、次に説明するＳＬＰ２３２などのＳＵＰＬロケーションプラットフォーム（ＳＬＰ）に要求するように構成され得る。ＳＬＰ２３２は、ＳＵＰＬ測位センター（ＳＰＣ）２３４とＳＵＰＬロケーションセンター（ＳＬＣ：SUPL Location Center）��３６とを含み得、ＬＲＦ２３０を用いてロケーション情報を通信するとともに、ＵＥ１００などのＵＥのロケーションを取得するためにオープンモバイルアライアンス（ＯＭＡ）によって規定されるＳＵＰＬユーザプレーン位置特定解決策（SUPL user plane location solution）をサポートするように構成され得る。
【００３５】
[0045]ＵＥ１００などのＵＥの測位をサポートするために、Ｅ−ＳＭＬＣ２０８およびＳＬＰ２３２は各々、３ＧＰＰ  ＴＳ３６．３５５において規定されるＬＴＥ測位プロトコル（ＬＰＰ）および／またはＯＭＡによって規定されるＬＰＰ拡張（ＬＰＰｅ）プロトコルを使用し得、ＬＰＰおよび／またはＬＰＰｅメッセージが、Ｅ−ＳＭＬＣ２０８またはＳＬＰ２３２と、測位されているターゲットＵＥ（たとえば、ＵＥ１００）との間で交換される。Ｅ−ＳＭＬＣ２０８の場合には、ターゲットＵＥと交換されるＬＰＰおよび／またはＬＰＰｅメッセージは、ターゲットＵＥ用のサービングＭＭＥおよびサービングｅＮＢ（たとえば、ターゲットＵＥがＵＥ１００である場合にはｅＮＢ２０２およびＭＭＥ２０４）を経由して、シグナリングとして転送され得る。ＳＬＰ２３２の場合には、ターゲットＵＥと交換されるＬＰＰおよび／またはＬＰＰｅメッセージは、ターゲットＵＥ用のＰＤＮゲートウェイ、サービングゲートウェイ、およびサービングｅＮＢ（たとえば、両方が次に説明されるＰＤＮゲートウェイ２１８、サービングゲートウェイ２１６、およびターゲットＵＥがＵＥ１００である場合にはｅＮＢ２０２）を経由して、ＩＰトランスポートを使用してデータとして転送され得る。ＬＰＰｅメッセージと（たとえば、ＬＰＰメッセージの内側に埋め込まれたＬＰＰｅメッセージと）組み合わせられたＬＰＰメッセージは、ＬＰＰ／ＬＰＰｅメッセージと呼ばれることがある。同様に、（たとえば、ＵＥ１００とＥ−ＳＭＬＣ２０８またはＳＬＰ２３２との間でＬＰＰ／ＬＰＰｅメッセージを交換することによってサポートされるような）ＬＰＰプロトコルとＬＰＰｅプロトコルとの組合せは、ＬＰＰ／ＬＰＰｅプロトコルと呼ばれることがある。
【００３６】
[0046]サービングゲートウェイ２１６は、データ経路指定および転送、モビリティアンカリング（mobility anchoring）などの、ＵＥのためのＩＰデータ転送に関係する様々な機能を実行し得る。パケットデータネットワーク（ＰＤＮ）ゲートウェイ２１８は、ＵＥのためのデータ接続性の保守、ＩＰアドレス割振り、外部のデータネットワークおよび／またはネットワーク２５０のためのデータイントラネットへのアクセスのサポートなどの、様々な機能を実行し得る。ネットワーク２５０のためのＩＰマルチメディアサブシステム（ＩＭＳ：IP Multimedia Subsystem）２６０は、ボイスオーバーＩＰ（ＶｏＩＰ）通話およびＶｏＩＰ緊急呼などのＩＭＳサービスをサポートするための様々なネットワークエンティティを含み得る。ＩＭＳ２６０は、プロキシ呼セッション制御機能（Ｐ−ＣＳＣＦ：Proxy Call Session Control Function）２２０と、サービング呼セッション制御機能（Ｓ−ＣＳＣＦ：Serving Call Session Control Function）２２２と、緊急呼セッション制御機能（Ｅ−ＣＳＣＦ：Emergency Call Session Control Function）２２４と、ブレークアウトゲートウェイ制御機能２４０と、メディアゲートウェイ制御機能（ＭＧＣＦ：Media Gateway Control Function）２３８と、相互接続境界制御機能（ＩＢＣＦ：Interconnection Border Control Function）２２６と、経路設定決定機能（ＲＤＦ：Routing Determination Function）２２８と、ＬＲＦ２３０とを含み得る。
【００３７】
[0047]動作において、ネットワーク２５０は、制御プレーン位置特定のためにＬＴＥインターフェースとＬＴＥプロトコルとを利用し得る。ＬＰＰプロトコルは、単独またはＬＰＰｅプロトコルと組み合わせてのいずれかで、Ｅ−ＳＭＬＣ２０８によるＵＥ１００の測位のためにＵＥ１００とｅＮＢ２０２との間でＵｕインターフェースを介して使用され得る。ＬＰＰまたはＬＰＰ／ＬＰＰｅメッセージは、３ＧＰＰ  ＴＳ２３．２７１および３６．３０５に記載されるように、ＵＥ１００用のＭＭＥ２０４およびｅＮＢ２０２を経由してＵＥ１００とＥ−ＳＭＬＣ２０８との間で（前に説明したように）転送され得る。Ｅ−ＳＭＬＣ２０８は、信号測定値（たとえば、ＲＳＳＩ、ＲＴＴ、ＲＳＴＤ測定値）と、認識できるセルの識別情報とを、（たとえば、ＬＰＰ／ＬＰＰｅ要求ロケーション情報メッセージをＵＥ１００へ送ることによって）要求するように構成され得、ＵＥ１００は、それらを（たとえば、ＬＰＰ／ＬＰＰｅ提供ロケーション情報メッセージをＥ−ＳＭＬＣ２０８へ送ることによって）提供するように構成され得る。
【００３８】
[0048]代替実施形態では、Ｅ−ＳＭＬＣ２０８によるＵＥ１００の測位のために、（ｉ）ＬＰＰｅなしのＬＰＰプロトコル単独、または（ｉｉ）３ＧＰＰ  ３６．３３１において規定されるＲＲＣプロトコルのいずれかが、Ｕｕインターフェースを介してＵＥ１００とサービングｅＮＢ２０２との間で使用され得る。ＬＰＰ（代替（ｉ））の場合、３ＧＰＰ  ＴＳ２３．２７１および３６．３０５に記載されるように、（ＬＰＰｅメッセージを伴わない）ＬＰＰメッセージがＵＥ１００用のＭＭＥ２０４およびサービングｅＮＢ２０２を経由してＵＥ１００とＥ−ＳＭＬＣ２０８との間で転送され得る。ＲＲＣ（代替（ｉｉ））の場合、３ＧＰＰ  ＴＳ２３．２７１および３６．３０５に記載されるように、ＲＲＣメッセージがＵＥ１００とサービングｅＮＢ２０２との間で転送され得、（３ＧＰＰ  ＴＳ３６．４５５において規定される）ＬＴＥ測位プロトコルＡ（ＬＰＰａ）メッセージがＵＥ１００用のＭＭＥ２０４を経由してｅＮＢ２０２とＥ−ＳＭＬＣ２０８との間で転送され得る。一例では、Ｅ−ＳＭＬＣ２０８は、信号測定値（たとえば、ＲＳＴＤ測定値）と、認識できるセルの識別情報とを、（たとえば、ＬＰＰ要求ロケーション情報メッセージ（LPP Provide Location Information message）をＵＥ１００へ送ることによって、またはＵＥ１００へのＲＲＣ要求メッセージをｅＮＢ２０２に送らせ得るＬＰＰａ要求メッセージをｅＮＢ２０２へ送ることによって）要求するように構成され得、ＵＥ１００は、それらを（たとえば、ＬＰＰ提供ロケーション情報メッセージをＥ−ＳＭＬＣ２０８へ送ることによって、またはＥ−ＳＭＬＣ２０８へのＬＰＰａ応答をｅＮＢ２０２に送らせるＲＲＣ応答をｅＮＢ２０２へ送ることによって）提供するように構成され得る。
【００３９】
[0049]ＭＭＥ２０４が３ＧＰＰ制御プレーン解決策を使用してＵＥ１００に対するロケーション情報をＥ−ＳＭＬＣ２０８に要求することを可能にするために、３ＧＰＰ  ＴＳ２９．１７１において規定されるロケーションサービス（ＬＣＳ：Location Service）アプリケーションプロトコル（ＬＣＳ−ＡＰ）が、ＳＬｓインターフェースを介してＭＭＥ２０４とＥ−ＳＭＬＣ２０８との間で使用され得る。ＧＭＬＣ２０６が３ＧＰＰ制御プレーン解決策を使用してＵＥ１００に対するロケーション情報をＭＭＥ２０４に要求および取得することを可能にするために、３ＧＰＰ  ＴＳ２９．１７２において規定される発展型パケットコア（ＥＰＣ）ＬＣＳプロトコル（ＥＬＰ）が、ＳＬｇインターフェースを介してＭＭＥ２０４とＧＭＬＣ２０６との間で使用され得る。
【００４０】
[0050]ネットワーク２５０はまた、ＳＵＰＬユーザプレーン位置特定用のインターフェースとプロトコルとを利用し得る。ＯＭＡ  ＳＵＰＬユーザプレーン解決策を使用するＵＥ１００の測位をサポートするために、ＯＭＡ−ＡＤ−ＳＵＰＬ−Ｖ２＿０において規定されるようなＬｕｐインターフェースが、（ＳＵＰＬ対応端末（ＳＥＴ）と呼ばれる）ＵＥ１００とＳＬＰ２３２との間で使用され得る。Ｌｕｐインターフェースは、ＵＥ１００とＳＬＰ２３２との間で、ＯＭＡ−ＴＳ−ＵＬＰ−Ｖ２＿０＿３において規定されるユーザプレーン位置特定プロトコル（ＵＬＰ：UserPlane Location Protocol）メッセージの交換を可能にする。ＳＬＰ２３２は、ホームＳＬＰ（Ｈ−ＳＬＰ）であってよく、ＵＥのホームネットワークの中に存在し得（たとえば、ネットワーク２５０がＵＥ１００用のホームネットワークである場合、ＵＥ１００にとって適用可能であり）、または発見ＳＬＰ（Ｄ−ＳＬＰ）もしくは緊急ＳＬＰ（Ｅ−ＳＬＰ）であり得る。Ｄ−ＳＬＰは、任意のネットワークの中のＵＥ１００を測位するために使用され得（たとえば、ネットワーク２５０がＵＥ１００用のホームネットワークでない場合、適用可能であり）、Ｅ−ＳＬＰは、ＵＥ１００が緊急呼（たとえば、ＩＭＳ２６０を経由したｉ３  ＰＳＡＰ２４４またはレガシーＰＳＡＰ２４８へのＶｏＩＰ緊急呼）を確立しつつあるかまたは確立している場合、ＵＥ１００を測位するために使用され得る。ＳＬＰ２３２は、単一の物理的なＳＬＰ２３２、または別個の物理エンティティの別個の論理機能であり得る、ＳＬＣ２３６およびＳＰＣ２３４に分割される。ＳＬＣ２３６は、ＵＥ１００とのＳＵＰＬセッションを確立および制御するように構成される。ＳＰＣ２３４は、ＵＥ１００のロケーションを取得するように構成される。その時、ＵＬＰメッセージが制御およびサービス供給（service provision）のために使用されるのか、それとも測位のために使用されるのかに応じて、任意のＵＬＰメッセージ用のエンドポイントは、ＳＬＣ２３６またはＳＰＣ２３４のいずれかである。ＵＥ１００（たとえば、ＬＴＥアクセスを有する）の場合には、測位のために使用されるＵＬＰメッセージは各々、通常、１つまたは複数のＬＰＰメッセージをカプセル化する。カプセル化された各ＬＰＰメッセージは、１つのＬＰＰｅメッセージをさらにカプセル化することができ、それによって、前に説明したようなＵＥ１００とＳＬＰ２３２との間でのＬＰＰおよび／またはＬＰＰ／ＬＰＰｅ測位プロトコルメッセージの交換を可能にする。正確なロケーションをサポートするために、上記で説明した制御プレーン位置特定に対して説明されたのと同じ情報（たとえば、セル識別情報およびＲＳＴＤ測定値）をＳＰＣ２３４が要求しＵＥ１００が戻すことを可能にするために、ＬＰＰ／ＬＰＰｅが使用され得る。
【００４１】
[0051]現在に至るまでの、本明細書で前に述べたような困難な問題は、（たとえば、ＵＥが各複製信号のソースを識別または区別することを可能にすることになる、他の異なる信号コンテンツのウォーターマーキングまたは含有などの、いかなる一意の識別も用いずに）同じＲＦ信号の同一の（複製）バージョンを無線ソースがブロードキャストするように限定される場合に、ＵＥのＯＴＤＯＡ（または、ＡＦＬＴ）測位を実行するために異なる無線ソースからの複製された信号をどのように利用するのかということである。ＵＥが複数の無線ソースから複製信号を受信できるエリアの中でＯＴＤＯＡまたはＡＦＬＴ測位が試みられるとき、どの無線ソースが測定された信号のソースであったのかを、ＵＥもネットワークも通常は知ることができないので、そのような信号の、ＵＥによって作成される任意の信号測定値は、通常、ＵＥのロケーションが決定されるときに廃棄されなければならない。被測定信号のソースを知らないということは、ソースのロケーションが知られておらず、したがって、被測定信号ソースのロケーションを知っていることに依拠する（マルチラテレーションまたは三辺測量などの）ロケーション決定方法が使用され得ないことを意味する。複数の無線ソースから複製信号をブロードキャストすることは、建築物、地下鉄、スポーツ競技場、空港などの限られたエリアにおいて、各々が異なる（非複製）信号をブロードキャストする別個の基地局、別個のＡＰ、または別個のスモールセルを展開するよりも経済的にネットワークカバレージを拡張するために事業者によって頻繁に使用されるので、このことは著しい不都合であり得る。ロケーションサーバが、いくつかの近くのロケーションにおける異なるセルからの受信信号のいくつかの特性（たとえば、ＲＳＳＩ、ＲＴＴ、および／またはＳ／Ｎ）を知っており、これらの信号特性のＵＥ測定値を既知の信号特性と照合することによってＵＥを位置特定しようと試みる、ＲＦフィンガープリンティングなどのいくつかの測位方法は、複製された無線信号の存在下で機能し得るが、常に正確であり得るとは限らないことに留意されたい。
【００４２】
[0052]セル内の異なるロケーションにおけるアンテナによる、同じセル内での同一の無線信号の送信は、「サイマルキャスト」と呼ばれることがある。複製信号をブロードキャスト（または、サイマルキャスト）することができる無線ソースの例は、分散アンテナシステム（ＤＡＳ）と、リモートラジオヘッド（ＲＲＨ）と、リピータと、リレーとを含む。ＤＡＳの場合、スプリッタ、フィーダ（たとえば、同軸ケーブル）、および場合によってはリピータ増幅器を介して基地局に接続され得るいくつかの別個の低電力アンテナ素子を介して、単一の基地局が信号を送信および受信する。ＲＲＨの場合、単一の基地局は、コロケートメインアンテナといくつかの別個のリモートラジオヘッド（ＲＲＨ）とを有し得、リモートラジオヘッド（ＲＲＨ）は各々、ワイヤレス手段またはワイヤライン手段によって（たとえば、光ファイバケーブルを使用して）メイン基地局に接続されている別個の無線トランシーバを、それ自体のアンテナとともに備える。リピータまたはリレーの場合、メイン基地局によってブロードキャストされる無線信号は、リピータまたはリレーによって受信され、増幅および再ブロードキャストされ、セルラーデバイスからリピータまたはリレーによって受信された信号は、増幅され基地局へ再ブロードキャストされ得る。通常、ＤＡＳにおける異なるアンテナ素子によって送られる信号は、互いの同一のコピーである。ＲＲＨの場合には、信号が同一であってよく、またはＵＥがソースＲＲＨを決定するのを可能にすることになる差分を基地局が導入してもよい。リレーおよびリピータの場合には、信号が同一であってよく、またはリレーもしくはリピータが差分を導入してもよい。ＯＴＤＯＡ（および、ＡＦＬＴ）に対する測位問題は、普通は同一の（すなわち、複製）測位基準信号（ＰＲＳ）が少なくとも２つの異なる無線ソースによってブロードキャスト（または、サイマルキャスト）されるときに起こる。したがって、それらのセル識別情報を含む２つのセルによってブロードキャストされる他の信号コンテンツが異なることがあっても、劣悪な（たとえば、間違った）ネットワーク計画に起因して２つの異なるセルが同じＰＲＳを（たとえば、同じ周波数と、同じＰＲＳコードと、同じＰＲＳ測位オケージョンとを使用して）ブロードキャストするときに、やはり問題は起こり得る。
【００４３】
[0053]ＤＡＳ、ＲＲＨ、リピータ、もしくはリレーを採用するセルの共通の特性、または２つのセルが同じＰＲＳ信号をブロードキャストするセルの共通の特性は、セルにおける信号（たとえば、ＰＲＳ信号）の受信が、信号のソース（たとえば、アンテナソースまたはセルソース）を単独で識別しないことである。したがって、そのようなセルは本明細書で「不明確セル」と呼ぶ。１つのアンテナだけを使用し、そのＰＲＳが他のセルによって複製されず、セルアンテナのロケーションが未知であるセルも、不明確セルが含み得ることが後で示される。
【００４４】
[0054]ＯＴＤＯＡ測位に対する信号複製問題を克服するための、本明細書で説明する技法は、典型的に、ＯＴＤＯＡを使用する測位は、通常、２０秒未満の信号測定時間しか占有しないので、少しでも測位されている間の場合、ＵＥはさほど移動しないという事実を利用する。したがって、場合によっては、複製された信号の信号ソースが互いにさほど近くないとき、ＵＥは、測定の持続時間にわたって、複製された信号の１つのソース（たとえば、１つのＤＡＳアンテナ素子または１つのＲＲＨ）だけからの信号を受信および測定し得、複製された信号の２つ以上のソースからの信号を受信および測定し得ない。他の場合では、同一の信号がいくつかの無線ソースによってブロードキャスト（または、サイマルキャスト）されているとき、ＵＥは、２つ以上の無線ソースからの信号を受信し得、同じ無線ソースからの信号が壁、建築物、および他の物体によって反射され、ＵＥにおいて２つ以上の異なる経路に沿って異なる時間において到来するマルチパス効果に起因して、いくつかの無線ソースからの追加の信号も受信し得る。単一のソースからのマルチパス信号を受信する場合における通常の実装形態は、これが送信アンテナへの直接の見通し（ＬＯＳ：line of sight）上での信号または少なくとも最小マルチパスを伴う信号のいずれかであることを基準として、最も早く受信された信号しかＵＥが測定を行わないことに対するものである。複製信号の複数のソースを伴う測定に同じ原理が適用され得る。再び、受信信号強度、マルチパス状態、および複製信号の元のソース（たとえば、基地局）からＵＥまでのネットワークの内側での伝搬遅延に応じて、ＵＥに最も近い無線ソースまたはもっと遠くの無線ソースからであり得る、最も早く受信された信号がＵＥによって測定され得る。ＵＥによって測定される無線ソースにとって、被測定信号は、ＬＯＳであるか、または最小マルチパス遅延を有する、測定されるのに十分な強度を伴うこの無線ソースからの信号であるかのいずれかである。次いで、信号状態が測定の期間にわたって一定（たとえば、フェージングまたは別のロケーションへのＵＥの移動がない）のままである限り、ＵＥは、同じ無線ソース（すなわち、唯一の無線ソース）からの信号を測定することができる−  しかし、ＵＥもネットワークもこれがどのソースであるのかを知り得ない。
【００４５】
[0055]ＵＥは、その時、−  たとえば、無線ソースに関連するセルをＯＴＤＯＡ用の基準セルとして使用することによって、同じ無線ソースを伴う複数の測定を行うことができる。たとえば、ＵＥ用のサービングセルがＤＡＳ、ＲＲＨ、またはリピータを使用する場合、普通はそれがＵＥのロケーションにおいて良好な信号強度を有するので、ロケーションサーバは、このセルを基準セルとして割り当てることができる。ロケーションサーバは、次いで、基準信号時間差（ＲＳＴＤ）の測定値を備えるＯＴＤＯＡ測定値を、ＵＥから受信することができる。３ＧＰＰ  ＴＳ３６．２１４において規定されるように、ＲＳＴＤ測定値は、ＵＥにおける基準セルからの信号（たとえば、ＰＲＳ）到来時間（ＴＯＡ）と、ＵＥにおける任意の隣接セルからの信号ＴＯＡとの間の差分に等しく、ここで、信号は、サブフレームが時間的に互いに最も近くにあるものであって、セルごとにＬＴＥサブフレームの開始を指す。基準セルが不明確セルであるとき、ＵＥは、基準セル用の特定の基準アンテナＲに対するＲＳＴＤ測定値を作成し得る（たとえば、ここで、ＲはＤＡＳアンテナ素子またはＲＲＨである）。基準アンテナＲは当初は未知であるが、このことは、ＵＥの位置をＲＳＴＤ測定値から決定するために使用され得る式に、１つの追加変数Ｂを導入するだけであることが後で示される。後で示すように、変数Ｂは、隣接セル用のアンテナの知られているロケーション、およびセルごとにＰＲＳ送信を同期させることに起因して必要とされ得る隣接セルアンテナまでのネットワークの内側での任意の追加の信号伝搬時間に、ＵＥによって実行されるＲＳＴＤ測定を関連付ける。
【００４６】
[0056]ＯＴＤＯＡ用の基準セルが不明確セルである場合に、ＵＥのロケーションを決定するために使用される式の中に１つの追加変数（たとえば、上記で言及したようなＢ）だけを有する１つの理由として、ロケーションサーバ（たとえば、Ｅ−ＳＭＬＣまたはＳＬＰ）は、ＵＥが基準セル用の１つの特定の基準アンテナＲ＊に対してＰＲＳ信号を測定していると想定することができる。基準アンテナＲ＊は、不明確セル内で使用されている無線信号複製のタイプに応じて、ＤＡＳにおける特定のアンテナ素子、特定のＲＲＨ用のアンテナ、リピータ用もしくはリレー用のアンテナ、または基地局用のメインコロケートアンテナに相当し得る。通常、ロケーションサーバによって想定される基準アンテナＲ＊は、その信号がＵＥによって測定される基準アンテナＲでない（ただし、場合によってはそうであり得る）。このことは、ＵＥによって作成されるＲＳＴＤ測定値の各々に、（ＵＥがＲ＊を測定しＲを測定しない場合には）ロケーションサーバによって想定される基準アンテナＲ＊に対してＵＥによって測定されていることになるＴＯＡと、ＵＥによって測定される基準アンテナＲに対するＴＯＡとの間の差分に等しい、未知のバイアスＢ＊を導入する。ＵＥロケーションおよび信号伝搬状態がＯＴＤＯＡ測定の期間中同じままである場合、このＴＯＡ差分は一定である。このことは、ロケーションサーバが、ＵＥロケーション座標をＲＳＴＤ測定値に関連付ける式の中に、未知のバイアスＢ＊に等しい１つの追加変数を含めることを可能にし得る。代替として、後で同等に示すように、ロケーションサーバは、上記で言及した変数ＢをＢ＊の代わりに式の中に含めることができる。基地局送信が共通の時間（たとえば、ＧＰＳ時間）に正確に同期される場合、およびロケーションサーバがアンテナまでの信号伝搬時間を知っている場合、３つまたは４つの変数、−  ＵＥのｘ、ｙ、および場合によってはｚ座標、ならびに未知のＲＳＴＤバイアスＢ＊または変数Ｂが、値を求められる必要があることになる。その時、４つの独立したＲＳＴＤ測定値を使用して解が可能であることになる。
【００４７】
[0057]ＵＥの推定ロケーションＬとバイアスＢ＊すなわち変数Ｂとを計算していると、ロケーションサーバは、場合によっては、基準セルに関連する可能な基準アンテナごとにＵＥに対して計算されたロケーションＬにおいて予想バイアスＢ＊すなわち変数Ｂを計算すること、およびＢ＊すなわちＢの期待値がＲＳＴＤ測定値から計算された値に最も近い基準アンテナを見つけることによって、ＵＥが測定していた基準アンテナＲを決定できる場合がある。たとえば、Ｂ＊の場合には、測位基準信号（ＰＲＳ）などの被測定ＯＴＤＯＡ信号が様々な信号のための伝送経路に沿った同期点のいくつかのセットにおいて（たとえば、アンテナにおいて、または基地局から様々なリモート無線ソースへの異なる送信給電の開始において）同期されるネットワークにおいて、予想バイアスＢ＊は、推定されるロケーションＬまでの、任意の他の潜在的な基準アンテナにとっての同期点からに対する、想定される基準アンテナにとっての同期点からの信号伝搬遅延の差分に等しい。ＲＳＴＤ測定値から計算されたバイアスＢ＊にはるかに近い、このようにして計算された１つの予想バイアスＢ＊がある場合、それが適用される基準アンテナが、被測定基準アンテナＲであると想定され得る。ロケーションサーバによって想定された基準アンテナＲ＊が、測定されたものでもあった場合、（このアンテナに対する）予想バイアスＢ＊が厳密に０であり計算されたバイアスＢ＊が０に近いはずであることに留意されたい。ロケーションサーバは、次いで、バイアスＢ＊または変数Ｂを含めずに基準セルのための被測定基準アンテナＲを使用して、ＵＥのためのＯＴＤＯＡロケーション算出を繰り返すことができる。余分な変数（ＢまたはＢ＊）がもはや値が求められておらず算出において適切な（correct）基準アンテナが使用され得るので、このことは、ＵＥに対するもっと正確なロケーションを生み出し得る。
【００４８】
[0058]ＵＥが測定している基準アンテナＲはまた、他の測位方法−  たとえば、ＧＰＳ、拡張セルＩＤ（ＥＣＩＤ）、および／または不明確セルに対する測定値の使用を伴わないＯＴＤＯＡ、から決定され得る。たとえば、ロケーションサーバは、ＥＣＩＤ、ＧＰＳ（たとえば、ＧＰＳ信号状態が正確なＧＰＳロケーションを可能にしない場合）、および／またはＯＴＤＯＡを使用してＵＥに対する近似的なロケーションを決定し得るが、不明確セルのいかなる測定値も含めなくてよい。ＵＥが不明確セルによってサービスされている場合（または、ＵＥが不明確セル（it）によってサービスされていなくも不明確セルのカバレージエリアの中にあり得る場合）、ロケーションサーバは、２つの方法のうちの一方においてＵＥによって測定されることになるものであるべき可能性が最も高い、このセルに対する無線ソース（または、いくつかのセルが同じＰＲＳを使用する場合はセル自体）を決定し得る。１つの方法では、（複数の複製信号コピーが受信されるとき、ＵＥは最も早い複製信号コピーを測定することが必要とされるので）、その無線ソース（または、セル）が、その信号がＵＥの近似的なロケーションに最も早く到来する無線ソース（または、セル）であると、ロケーションサーバは想定し得る。どの信号が近似的なＵＥロケーションに最初に到来するのかを計算する際に、ロケーションサーバは、（たとえば、後で図３において例示するような）各アンテナまたはアンテナ素子までの送信給電上での信号伝搬遅延、ならびにアンテナまたはアンテナ素子から近似的なＵＥロケーションまでの伝搬遅延を考慮に入れる必要があり得る。代替として、無線ソース（または、セル）が大きく分離されており、その結果、通常、ＵＥが最も近くの無線ソース（または、セル）からの信号だけを受信し測定できる場合、ロケーションサーバは、近似的なＵＥロケーションに最も近い無線ソース（または、セル）を決定することができる。場合によっては、これらの２つの代替方法を使用して決定された２つの無線ソース（または、セル）が同じであることがあり、その場合、この無線ソースを想定することの信頼性はより高くなる。ロケーションサーバは、次いで、ＵＥが不明確セルを基準セルとして使用してＯＴＤＯＡ測定を実行するように要求することができる。ＵＥが基準セルを別のセルに変更し不明確セルに関与する１つのＯＴＤＯＡ  ＲＳＴＤ測定値しか提供しなくても、ＵＥが不明確セルに対して測定した無線ソース（または、セル）をロケーションサーバが正しく識別している場合、測定値は有用であり得る。ロケーションサーバはまた、この無線ソース（または、セル）とＲＳＴＤ測定値が必要とされる隣接セルの各々との間の予想ＲＳＴＤをＵＥに提供することによって、想定される無線ソース（または、セル）を測定するようにＵＥを支援することができる。ロケーションサーバはまた、想定される無線ソースが上記で説明し以下でさらに説明する技法を使用してＵＥによって測定されたものであったかどうかを、（ＵＥからのＲＳＴＤ測定値に基づいて）後で検査することができる。
【００４９】
[0059]ＬＴＥアクセスと同期信号送信（たとえば、同期ＰＲＳ送信）とを採用するワイヤレス通信システム３００のための方法の一例が図３に示される。ワイヤレス通信システム３００は、ロケーションサーバ３０２と、アルマナック３０４とを含む。ロケーションサーバ３０２およびアルマナック３０４は、サービングネットワーク３０６の一部として含まれてよく、またはサービングネットワーク３０６に接続され得るか、もしくはサービングネットワーク３０６から到達可能であり得る。たとえば、サービングネットワーク３０６は、図２におけるネットワーク２５０に相当し得、ロケーションサーバ３０２は、ネットワーク２５０の中のＥ−ＳＭＬＣ２０８もしくはＳＬＰ２３２に相当し得るか、またはスタンドアロンサービングモバイルロケーションセンター（ＳＡＳ）などの別のロケーションサーバであり得る。サービングネットワーク３０６は、ｅＮＢ１  ３１０−１、ｅＮＢ２  ３１０−２、ｅＮＢ  Ｎ、３１０−Ｎ、およびｅＮＢ  Ｎ＋１  ３１２などの、１つまたは複数のアクセスポイントおよび／または基地局を含み得る。ｎを３とＮ−１との間としてｅＮＢ  ｎ  ３１０−ｎなどの、図３に明示的に示されない他のｅＮＢがあり得る。アクセスポイントのうちのいずれか１つ（たとえば、ｅＮＢ  Ｎ＋１  ３１２）は、図２におけるｅＮＢ２０２に相当し得る。アクセスポイントの各々は、１つまたは複数のアンテナに動作可能に接続され得、ｅＮＢ  Ｎ＋１  ３１２の場合には１つまたは複数のアンテナはアンテナ素子であり得る。アンテナは、それぞれ、ｅＮＢ１、２、．．．Ｎの場合にはＡ１、Ａ２、．．．ＡＮを備え、ｅＮＢ  Ｎ＋１の場合にはＡＥ１、ＡＥ２、．．．ＡＥＭを備える。アルマナック３０４は、サービングネットワーク３０６および／またはロケーションサーバ３０２に属し得るとともに、いくつかの実施形態ではロケーションサーバ３０２の一部であり得る（たとえば、ロケーションサーバ３０２におけるメモリの中に含まれ得る）、データベース構造を表す。アルマナック３０４は、サービングネットワーク３０６内のアクセスポイントおよび基地局（たとえば、ｅＮＢ）ならびにアンテナに対する識別と、ロケーションと、他の情報とを記憶するように構成され、本明細書で前に説明したタイプのＢＳＡを備え得る。
【００５０】
[0060]同期信号送信の場合、サービングネットワーク３０６は、同期点（図３において小さい円によって例示する）のセットを、アンテナＡ１、Ａ２、ＡＮごとに１つか、またはアンテナ素子ＡＥ１、ＡＥ２、ＡＥ３（Ｒ）、ＡＥＭごとに１つもしくはいくつか、採用することができる。各同期点は、すべての同期点に適用可能な共通の時間に厳密またはほぼ厳密に（たとえば、ＧＰＳ受信機を使用して）信号タイミングがそこで同期される、１つのアンテナ（または、ｅＮＢ  Ｎ＋１の場合にはいくつかのアンテナ）によって送信される信号に対する信号伝送経路に沿ったロケーションに対応する。たとえば、ＬＴＥの場合には、セル（たとえば、図３におけるｅＮＢ１〜Ｎに関連するセル）ごとに、およびセルが同じ信号の複製をブロードキャストするために複数の無線アンテナ（たとえば、ＤＡＳアンテナ素子またはＲＲＨ）を使用するときは各セル（たとえば、図３におけるｅＮＢ  Ｎ＋１に関連するセル）における無線アンテナごとに、同期点は、１０２４個のＬＴＥダウンリンクシステムフレームの新たな各セットの開始、１０ミリ秒（ｍｓ）の各ＬＴＥダウンリンク無線フレームの開始、または新たな１ｍｓの各ＬＴＥダウンリンクサブフレームのまさに開始を、同じ時間（たとえば、同じグローバル時間）に同期させることができる。同期点は、ｅＮＢまたは中間信号増幅器から信号出力ジャックのようなアンテナに到達する前のいくつかの点を過ぎた、アンテナにおける信号送信、または信号伝搬に対応し得る。
【００５１】
[0061]図３は、Ａ１、Ａ２〜ＡＮとラベリングされた単一のアンテナを使用して各々が単一のセルをサポートする、１〜ＮとラベリングされたＮ個のｅＮＢ３１０−１、３１０−２、３１０−Ｎを示す。ＡＥ１、ＡＥ２、ＡＥ３（Ｒ）〜ＡＥＭとラベリングされたＭ個の別個のアンテナ素子を有するＤＡＳを使用する、単一のセルに関連するｅＮＢ  Ｎ＋１  ３１２も示される。ＤＡＳが示されるが、ｅＮＢ  Ｎ＋１  ３１２がＭ個のＲＲＨ、Ｍ個のリピータ、Ｍ個のリレー、またはＭ個のＤＡＳアンテナ素子、ＲＲＨ、リピータ、およびリレーのいくつかの組合せを含むセルをサポートする場合に、例がまさに幸運を（just a well）適用することが諒解されよう。例はまた、同じＰＲＳをブロードキャストするアンテナＡＥ１〜ＡＥＭを有するＭ個の別個のセルに（Ｍ個の別個のｅＮＢが図３におけるｅＮＢ  Ｎ＋１を置き換えて）適用される。図３における例では、ロケーションサーバ３０２は、ＵＥ１００に、ｅＮＢ  Ｎ＋１  ３１２に対するＤＡＳセルを基準セルとして、およびｅＮＢ３１０−１、３１０−２、３１０−Ｎに対するセルを隣接セルとして使用してＯＴＤＯＡ測定を実行し、ＯＴＤＯＡ  ＲＳＴＤ測定値をロケーションサーバ３０２に戻すように命令する。この例では、ＵＥ１００によって測定されるアンテナ素子（上記で説明した被測定基準アンテナＲに相当する）は、任意のアンテナ素子ＡＥｍであってよい（たとえば、ｍが３に等しい一例が図３に示される）。各アンテナからＵＥ１００までのＬＯＳ信号伝搬時間は、各ｅＮＢアンテナＡｎに対してＴｎであり、各ＤＡＳアンテナ素子ＡＥｍに対してＴＤｍである。ＵＥ１００は、次いで、ｅＮＢ  Ｎ＋１  ３１２に対する基準セルとｅＮＢ１〜Ｎに対するＮ個の隣接セル（たとえば、３１０−１、３１０−２、３１０−Ｎ）の各々との間のＮ個までのＲＳＴＤを測定し得る。Ｎ個のＲＳＴＤは（正しく測定される場合、およびマルチパスがない場合）、異なるアンテナからＵＥ１００までの信号伝搬遅延、および異なるアンテナまでのネットワークの内側の信号伝搬遅延に、（図３に示す配置から推定され（inferred）得る）次式によって関連付けられる。
【００５２】
[0062]
【００５３】
【数１】
2018522226.tif 000003
【００５４】
[0063]ここで、アンテナ素子ＡＥｍは、ｅＮＢ  Ｎ＋１に対してＵＥによって測定されるものと想定され、ＲＳＴＤｎは、（固定されたままであると想定される）アンテナ素子ＡＥｍと各隣接ｅＮＢ  ｎ用のアンテナＡｎとの間のＲＳＴＤである。Ｋｎは、アンテナＡｎにとってのネットワーク信号同期の点からアンテナＡｎまでの、（たとえば、任意の送信給電（feeds）、信号増幅器、およびアンテナＡｎまでの伝送経路における他の要素に沿った伝搬を含む）アンテナＡｎに対する付加内部信号伝搬遅延である。アンテナＡｎにとっての同期点がアンテナＡｎである場合、Ｋｎは０である。通常、Ｋｎは定数であり、サービングネットワーク３０６のための事業者（operator）によって測定および／または計算され得る。同様に、ＫＤｍは、アンテナ素子ＡＥｍにとってのネットワーク信号同期の点からアンテナ素子ＡＥｍまでの、アンテナ素子ＡＥｍに対する付加内部信号伝搬遅延である。ＤＡＳの場合には、ネットワーク同期点は、普通はｅＮＢ  Ｎ＋１  ３１２においてまたはその近くに現れることになり、したがって、ＫＤｍは、普通は各アンテナ素子ＡＥｍまでの送信給電に沿った伝搬遅延を含むことになる。ＫＤｍはまた、普通は定数であり、ネットワーク事業者によって測定および／または計算されることが可能である。ＯＴＤＯＡ（たとえば、ＰＲＳ）信号が同期されないが異なるアンテナ間の送信時間差が測定または計算され得るネットワークにとって、パラメータＫｎおよびＫＤｍは、各アンテナＡｎおよび各アンテナ素子ＡＥｍからの送信時間と、ＵＴＣ時間またはＧＰＳ時間のようないくつかの世界時との差分を表すことができる。
【００５５】
[0064]ＵＥのＸ、Ｙ、Ｚ座標の値を求めるために（たとえば、Ｘを緯度、Ｙを経度、およびＺを高度、またはＸ、Ｙ、Ｚを局所的な直交座標として）、次式が使用され得る。
【００５６】
[0065]
【００５７】
【数２】
2018522226.tif 000004
【００５８】
[0066]ただし、
[0067]ｃ＝エアインターフェースを介した信号伝搬速度（すなわち、光速）、
[0068]Ｘｎ、Ｙｎ、Ｚｎ＝アンテナＡｎ（１≦ｎ≦Ｎ）のＸ、Ｙ、Ｚ座標、
[0069]ｘｍ、ｙｍ、ｚｍ＝アンテナ素子ＡＥｍのＸ、Ｙ、Ｚ座標、
[0070]ｘ、ｙ、ｚ＝ＵＥのＸ、Ｙ、Ｚ座標である。
【００５９】
[0071]式（２）は、すべてのＮ個の隣接アンテナＡｎに対して適用され、ジオメトリのみに基づく。被測定アンテナ素子ＡＥｍが知られている場合、式（２）における項（Ｔｎ−ＴＤｍ）は式（１）を使用してＲＳＴＤ測定値から取得され得、したがって、（アンテナ座標ならびに伝搬遅延定数ＫｎおよびＫＤｍが知られていると想定すると）ｘ、ｙ、ｚの値を求めるために、３つの隣接ｅＮＢアンテナに対する３つのＲＳＴＤ測定値が十分であることになる。被測定アンテナ素子ＡＥｍが知られていないとき、式（１）および（２）は以下を与えるように組み合わせられ得る。
【００６０】
[0072]
【００６１】
【数３】
2018522226.tif 000005
【００６２】
[0073]
【００６３】
【数４】
2018522226.tif 000006
【００６４】
[0074]ただし、
[0075]
【００６５】
【数５】
2018522226.tif 000007
【００６６】
である。
【００６７】
[0076]式（５）における項Ｂは、本明細書で前に言及された変数Ｂに相当し、アンテナ素子ＡＥｍにとっての同期点からアンテナ素子ＡＥｍまでの信号伝搬時間ＫＤｍの間に信号によって空気中で移動される距離＋ＵＥからのアンテナ素子ＡＥｍの距離に等しい。（ＡＥｍが知られていないので）Ｂは知られていないが、ＵＥロケーションが固定されたままであり（または、固定されたままであると想定され）すべてのＲＳＴＤに対して同じアンテナ素子ＡＥｍが測定されるので、Ｂは式（４）においてｎとしての（of）すべての値に対して同じである。したがって、（前に主張したように）Ｂは１つの新たな変数として扱われてよく、式（４）はＵＥの座標ｘ、ｙ、ｚおよびＢについて解くことができる。この場合、ｘ、ｙ、ｚ、およびＢの値を求めるために、４つの隣接ｅＮＢアンテナに対する４つのＲＳＴＤ測定値が十分であることになる。座標ｘ、ｙ、ｚ、およびＢの値を求める際、余分な冗長ＲＳＴＤ測定値（すなわち、Ｎ＞４）および（たとえば、マルチパスに起因する）測定誤差があるとき、最小２乗法などの、誤差を最小限に抑える知られている方法が使用されてよいことに留意されたい。
【００６８】
[0077]式（４）を解くことは、Ｎ個の隣接アンテナＡｎに中心がありｎの値ごとに式（４）の右側によって与えられる半径（radii）を有するＮ個の球（または、−  たとえば、平坦な地形によりＺ座標がすべてほぼ同じであることに起因して、式（４）におけるＺ座標項が無視および除去される場合、Ｎ個の円）の交点においてＵＥ１００を位置特定することと等価であり得る。このことは、Ｂに対する初期値が想定され、Ｂとしてのこの値を使用して球（または、円）の交差ポイントを見つけることによってｘ、ｙ、ｚに対する値が式（４）から取得され、その後、ｎとしての１つまたは複数の値および計算されたｘ、ｙ、ｚ値に対して式（４）を使用してより正確にＢが再取得され、次いで、プロセスが繰り返される、反復法を使用する解決策を可能にし得る。
【００６９】
[0078]ここまで上記で例示したような方法は、すべてのＲＳＴＤ測定値に対してＵＥ１００によって同じアンテナ素子ＡＥｍが測定されたと想定すること以外、ＵＥ１００によってＲＳＴＤ測定値が取得された基準セルのいかなる知識も用いずに、ＵＥ１００のＸ、Ｙ、Ｚロケーション座標（ｘ，ｙ，ｚ）を決定することができる。たとえば、アンテナ素子ＡＥｍのロケーション座標およびアンテナ素子ＡＥｍまでの内部信号伝搬遅延ＫＤｍは、ここまで必要とされない。したがって、方法のこの部分は、ロケーションサーバが基準セルに関する情報を有しない（たとえば、異なるＤＡＳアンテナ素子ＡＥｍのロケーションを知らない）他の状況において、ＵＥを位置特定するために使用され得る。その上、ｅＮＢ  Ｎ＋１  ３１２が、−  たとえば、サイト調査、ｅＮＢ  Ｎ＋１  ３１２の（たとえば、ＧＰＳ受信機を使用する）自己位置特定、またはクラウドソーシングなどを介して、ｅＮＢ  Ｎ＋１  ３１２（または、ｅＮＢ  Ｎ＋１  ３１２のアンテナ）のロケーションが取得されていないＤＡＳではなく、スモールセルをサポートするかまたはホームｅＮＢであるときにも、方法は適用され得る。言い換えれば、ＵＥロケーションは、不明確セルに関する情報の欠如（たとえば、ＢＳＡの欠如）によって不明確さが生み出される不明確セルである基準セルを使用して取得され得る。
【００７０】
[0079]図３に示す例に戻ると、式（４）からＵＥ１００に対する座標ｘ、ｙ、ｚと、Ｂとしての値とを取得していると、被測定アンテナ素子ＡＥｍは、式（５）が満たされるアンテナ素子ＡＥｍを見つけることによって識別され得る。ＵＥ１００ロケーションおよびＢとしての値が精密に計算されており、他の項（たとえば、アンテナＡＥｍ座標および内部伝搬遅延ＫＤｍ）が誤差を含まないとき、式（５）は被測定アンテナ素子ＡＥｍによって厳密に満たされることになるが、通常、厳密な同一性を妨げる誤差がある。したがって、ロケーションサーバは、次式のような式（５）の両側の差分によって与えられる誤差項Ｅ（ｍ）を算出し得る。
【００７１】
[0080]
【００７２】
【数６】
2018522226.tif 000008
【００７３】
[0081]Ｅ（ｍ）としての符号なし値が最小化されるべきアンテナ素子ＡＥｍが、次いで、被測定アンテナ素子であるものと想定され得る。Ｅ（ｍ）が任意の他のアンテナ素子ＡＥｒに対する誤差項Ｅ（ｒ）よりも著しく小さい場合、ＡＥｍの決定は信頼できると想定され得る。次いで、被測定アンテナ素子が知られている場合について上記で説明したような式（１）と式（２）とを再び使用して、ＵＥ座標ｘ、ｙ、ｚが再計算され得る。式（１）と式（２）とを解くことの一例として、決定されたアンテナ素子ＡＥｍおよび前のＵＥ座標ｘ、ｙ、ｚを用いて式（５）を使用してＢが再計算され得、次いで、Ｂとしての再計算された値を用いて式（４）を使用して、ＵＥの新たな座標ｘ、ｙ、ｚが取得され得る。プロセスは、次いで、式（５）と新たなｘ、ｙ、ｚ座標とを使用してＢにとっての新たな値を計算することによって反復されることによってできる（can）。そのような再計算は、通常、被測定アンテナ素子ＡＥｍが正しく識別された場合、より正確なＵＥロケーションを生み出し得る。
【００７４】
[0082]式（５）における項Ｂは、前に説明した想定される基準アンテナＲ＊に対応する別のアンテナ素子ＡＥｒをとること、および式（５）を次式のように再表現することによって、本明細書で前に言及されたバイアスＢ＊に関係することができる。
【００７５】
[0083]
【００７６】
【数７】
2018522226.tif 000009
【００７７】
[0084]ただし、
[0085]
【００７８】
【数８】
2018522226.tif 000010
【００７９】
である。
【００８０】
[0086]式（４）は、次いで、式（７）におけるＢに対する表現を式（４）に置換すること（substituting）によって解かれ得る。このことは、ＵＥ１００に対する未知の座標ｘ、ｙ、ｚを、各アンテナＡｎに対して知られている座標Ｘｎ、Ｙｎ、Ｚｎおよび想定される基準アンテナ素子ＡＥｒに対して知られている座標ｘｒ、ｙｒ、ｚｒに関連付けるが、式（８）によれば、信号速度ｃの、被測定アンテナ素子ＡＥｍおよび想定される基準アンテナ素子ＡＥｒにとってのネットワーク同期点の各々からＵＥ１００までの全体的な信号伝搬遅延の間の差分との積に等しい、新たな変数Ｂ＊を導入する。新たな変数Ｂ＊は、想定されている基準アンテナ素子ＡＥｒと異なるアンテナ素子ＡＥｍを測定することによって引き起こされる誤差バイアスと見なされ得る。しかし数学的には、ＵＥ座標ｘ、ｙ、ｘの算出および被測定アンテナ素子ＡＥｍの識別は、少しも異なっている必要がない。その上、基準アンテナ素子ＡＥｒの想定は、不明確セルがＵＥロケーション算出に１つの余分な変数を導入することしか必要としないことを（前に説明したように）より明瞭に示すための工夫（artifice）にすぎない。
【００８１】
[0087]図３に示す例に対してＵＥロケーションを取得する第２の方法は、ｅＮＢ  Ｎ＋１  ３１２に関連する基準セルを、いくつかのｅＮＢ  ｒ  ３１０−ｒに対する隣接セルのうちの１つに対応する新たな基準セルに変更することである。このことは、ＵＥ１００がすでに測定している基準セルを変更することによって行うことはできないが、代わりに、誤差がない場合の新たな基準セルを使用してＵＥ１００が取得していることになるＲＳＴＤ測定値を計算することによって行うことができる。このことは、次式を与えるように式（１）の両側からＲＳＴＤｒを減算することによって実行され得る。
【００８２】
[0088]
【００８３】
【数９】
2018522226.tif 000011
【００８４】
[0089]ここでＲＳＴＤｎ＊は、アンテナＡｒ（新たな基準セルアンテナ）と各隣接セルアンテナＡｎ（１≦ｎ≦Ｎ、ｎ≠ｒ）との間の、誤差がない場合にＵＥ１００が作成していることになるＲＳＴＤ測定値である。ＵＥのＸ、Ｙ、Ｚ直交座標の値を求めるために、次式が使用され得る。
【００８５】
[0090]
【００８６】
【数１０】
2018522226.tif 000012
【００８７】
[0091]ＵＥ１００のＸ、Ｙ、Ｚロケーション座標は次に、Ｎ≧４という条件で式（１０）から取得され得る。ＵＥ１００ロケーションが十分に正確でない（たとえば、ｅＮＢ１〜Ｎに対する隣接セルの劣悪な測定に起因する著しい不確実性を有する）場合、不正確なＵＥロケーションに基づいて−  たとえば、ＡＥｍが不正確なＵＥロケーションに最も近いアンテナ素子であると想定することによって、ｅＮＢ  Ｎ＋１用の被測定アンテナ素子ＡＥｍが、前に説明したように推定され得る。このことは、前に説明したようにＵＥのより正確なロケーションおよびＢとしての値を見つけるために式（４）および式（５）の反復を可能にするための、式（５）における変数Ｂに対する初期推定値を可能にすることができる。Ｂとしてのより正確な値は、次いで、上記で説明したように式（６）を使用して被測定アンテナ素子ＡＥｍをより精密に決定するために使用され得、その後、式（１）と式（２）とを使用する最終のロケーション算出が、より正確なＵＥロケーションを決定するために使用され得る。
【００８８】
[0092]場合によっては、ロケーションサーバがＵＥ１００に不明確セルを基準セルとして扱うように要求しても、ＵＥ１００によって測定される不明確セルは、ＵＥ１００によって隣接セルとして報告され得る。たとえば、ＵＥ１００が別のセルからもっと強い信号を受信した場合、またはＵＥ１００が別の基準セルを使用してもっと正確なＲＳＴＤ測定値を別の方法で作成することができる場合、このことは行われ（occur）得る。加えて、ＵＥ１００がＲＳＲＤ測定値を作成するべき２つ以上の隣接セルは、（たとえば、各々がＤＡＳ、ＲＲＨ、リピータ、および／またはリレーを有するいくつかのセルを事業者が採用するエリアにおいて起こり得るような）不明確セルであってよい。この場合、不明確セルに対する各ＲＳＴＤ測定値は、上記で説明したように値が求められるべき１つの追加変数またはバイアスを導入することになる。したがって、これらのＲＳＴＤ測定値は、不明確でない隣接セルに対する（たとえば、１つのアンテナしか有しないセル、またはやはり異なるＰＲＳ信号を送信する異なるアンテナを有するセルに対する）ＲＳＴＤ測定値だけを使用してＵＥ１００のＸ、Ｙ、Ｚ座標の値を求め得るロケーションサーバによって、最初に無視され得る。ＵＥ１００のロケーション座標を取得していると、ロケーションサーバは、それがＵＥ１００によって測定された不明確セルごとに最も可能性が高いアンテナを決定するために、不明確セルのうちの１つまたは複数に対するＲＳＴＤ測定値を使用し得る。ロケーションサーバは、次いで、不明確でないセルと不明確セルの両方に対するＲＳＴＤ測定値を使用してＵＥロケーション座標を再算出することができる。２つ以上の不明確セルがあった場合、ロケーションサーバは、不明確セルの各々に対して測定された最も可能性が高いアンテナを再び決定するために、新たなＵＥロケーション座標を使用することができる。最も可能性が高いアンテナが変更されていない場合、ロケーション算出は完了していると見なされてよい。そうでない場合、ロケーションサーバは、不明確セル用の新たな可能性のあるアンテナを使用して新たなＵＥロケーションを再び決定することができる。このプロセスは、さらに反復され得る。いくつかの不明確セル用のアンテナが反復中に同じままであるが他のアンテナは変化するように見いだされた場合、アンテナソースが変化する不明確セルに対するＲＳＴＤ測定値は無視されてよく、不明確でないセル、およびその決定されたアンテナが変化しないものと見いだされた不明確セルに対するＲＳＴＤ測定値を使用して、ＵＥロケーションが取得され得る。不明確セルを基準セルとしてでなく隣接セルとして扱うことの１つの利点は、不明確セルからの被測定信号に対するアンテナソースが、ＲＳＴＤ測定の期間にわたって変化する可能性がずっと低いことになることである。このことは、隣接セルに対して普通は１つのＲＳＴＤ測定値しか取得されないので、ＲＳＴＤ測定の期間が普通は隣接セルにとって極めて短い（たとえば、１秒未満）からである。反対に、基準セルに対するＲＳＴＤ測定の期間は、基準セルとすべての隣接セルとの間の信号タイミング差を測定することに起因してもっと長くなり得る（たとえば、最大２０秒）���したがって、いくつかの状況では、ＵＥ（たとえば、不明確セルを認識している場合）またはロケーションサーバは、不明確セルだけを隣接セルとして扱ってよい。
【００８９】
[0093]複数の不明確セルのための解決策をより詳細に説明するために、図３での例において、ｅＮＢ  Ｎ＋１  ３１２と類似であるとともに、サポートされるセル内で同じＰＲＳを送信する複数のアンテナ（または、複数のアンテナ素子）を有する１つのセルを各々がサポートする、追加のｅＮＢ（図示せず）があると想定する。ＲＳＴＤ測定値が、ｅＮＢ  ｐ（１≦ｐ≦Ｎ）に属するいくつかの基準セルに対してＵＥ１００によって取得されると想定すると、ｅＮＢ  １〜Ｎに対するＲＳＴＤは、式（１１）によって関連付けられ、ただし、ＲＳＴＤ＊ｎは、ｅＮＢ  ｐに対する基準セルとｅＮＢ  ｎに対する隣接セルとの間のＲＳＴＤ測定値を示す。次いで、Ｎ＞３（または、−  たとえば、平坦な地形によりＺ座標がすべてほぼ同じであることに起因して、Ｚ座標項が無視および除去される場合、Ｎ＞２）を条件として、ＵＥに対するロケーション座標ｘ、ｙ、ｚが式（１１）および式（１２）を使用して取得され得る。
【００９０】
[0094]
【００９１】
【数１１】
2018522226.tif 000013
【００９２】
[0095]
【００９３】
【数１２】
2018522226.tif 000014
【００９４】
[0096]ＲＳＴＤ＊と示される、ｅＮＢ  Ｎ＋１  ３１２に対する不明確セルとｅＮＢ  ｐに対する基準セルとの間で測定されるＲＳＴＤは、ｅＮＢ  Ｎ＋１に対して測定されるアンテナ素子がＡＥｍである場合、次式（１３）と（１４）とを満たす。
【００９５】
[0097]
【００９６】
【数１３】
2018522226.tif 000015
【００９７】
[0098]
【００９８】
【数１４】
2018522226.tif 000016
【００９９】
[0099]これらは、
[00100]
【０１００】
【数１５】
2018522226.tif 000017
【０１０１】
を与える。
【０１０２】
[00101]式（１５）は被測定アンテナ素子ＡＥｍによって厳密に満たされることになるが、ＵＥロケーションが精密に計算されておりＲＳＴＤ＊項が誤差（たとえば、マルチパスに起因する）を含まないとき、通常、厳密な同一性を妨げる誤差がある。したがって、ロケーションサーバは、次式のような式（１５）の両側の差分によって与えられる誤差項Ｅ＊（ｍ）を算出し得る。
【０１０３】
[00102]
【０１０４】
【数１６】
2018522226.tif 000018
【０１０５】
[00103]Ｅ＊（ｍ）としての符号なし値が最小化されるべきアンテナ素子ＡＥｍが、次いで、被測定アンテナ素子であるものと想定され得る。Ｅ＊（ｍ）が任意の他のアンテナ素子ＡＥｎに対する誤差項Ｅ＊（ｎ）よりも著しく小さい場合、ＡＥｍの想定は、信頼できると想定され得る。同じタイプの計算も、これらのセルの各々に対する被測定アンテナまたは被測定アンテナ素子を見つけるために、他の不明確セルのうちのいずれかに適用され得る。ＵＥ１００のロケーションが、次いで、より多くの隣接セルに対するより多数のＲＳＴＤ測定値を使用するロケーション算出を可能にするための式（１１）および式（１２）を用いて、式（１６）を使用して被測定アンテナ素子が識別された不明確セルごとに、式（１３）と式（１４）とを組み合わせることによって、ロケーションサーバによって再計算され得、これにより、ＵＥ１００に対するより正確なロケーションが可能になり得る。ＵＥ１００に対するより正確なロケーションは、次いで、（式（１６）におけるＥ＊（ｍ）が最小化されるべきアンテナ素子ＡＥｍを見つけることによって）ｅＮＢ  Ｎ＋１  ３１２に対する不明確セル用の被測定アンテナ素子ＡＥｍを再取得するために、また他の不明確セルに対して同じことを行うことによって、式（１６）において再び使用され得る。プロセスは、不明確でないセルに対するＲＳＴＤ測定値と安定な（変化しない）被測定アンテナ素子が見つけられる不明確セルに対するＲＳＴＤ測定値とを使用して、最終的に取得されるＵＥ１００ロケーションを用いて、前に説明したように反復され得る。
【０１０６】
[00104]上記で説明したような技法はロケーションサーバ３０２によって適用され得るが、ロケーションサーバ３０２および／または他のネットワークエンティティ（たとえば、基地局）が、隣接ｅＮＢのロケーション座標などの、ロケーション算出を実行するために必要な情報を（たとえば、ＢＳＡなどの支援データの形態で）ＵＥ１００に提供する場合、技法がまた、ＵＥ１００においてそのロケーションを計算するために使用され得ることに留意されたい。
【０１０７】
[00105]いくつかの実施形態では、上記で説明した技法は、ネットワークベースのロケーション情報を利用することによってさらに拡張され得る。たとえば、不明確セル用のサービング基地局（たとえば、ｅＮＢ）は、ＵＥ１００から信号を受信している特定のアンテナまたはアンテナ素子を決定できる場合がある。たとえば、このことは、アンテナまたはアンテナ素子によって受信される信号が、他のアンテナまたはアンテナ素子から受信される信号に対して別個に処理される（たとえば、アンテナまたはアンテナ素子が接続されるｅＮＢ、ＲＲＨ、リピータ、またはリレーによって別個に処理される）場合に可能であり得る。一意のアンテナまたはアンテナ素子が、ＵＥがＯＴＤＯＡ測定を行っている間にサービング基地局によって識別され得るとともに、ロケーションサーバに（たとえば、３ＧＰＰ  ＬＰＰａプロトコルを使用してＥ−ＳＭＬＣに）転送され得る場合、ロケーションサーバは、このアンテナまたはアンテナ素子も、不明確セルに関与する任意のＲＳＴＤ測定値に対してＵＥによって測定されたものであると想定し得る。より信頼できる決定のために、このアンテナまたはアンテナ素子は、受信されたＯＴＤＯＡ  ＲＳＴＤ測定値から（たとえば、式（６）または式（１６）に関連して）上記で説明したように決定される任意のアンテナまたはアンテナ素子と比較され得る。決定された２つのアンテナまたはアンテナ素子が同じであるものと見いだされる場合、ロケーションサーバは、このアンテナまたはアンテナ素子が不明確セルに関与するＯＴＤＯＡ  ＲＳＴＤ測定値に対してＵＥによって測定されたものであったという、もっと大きい確信を有することができる。
【０１０８】
[00106]図１〜図３をさらに参照しながら図４を参照すると、不明確セルを使用しＬＰＰプロトコルを用いた測位をサポートするための例示的な手順のメッセージフロー図４００が示される。メッセージフローの中のエンティティは、ＵＥ４０２と、ロケーションサーバ４０４とを含む。ＵＥ４０２は、図１〜図３におけるＵＥ１００に相当し得、ロケーションサーバ４０４は、図２におけるＥ−ＳＭＬＣ２０８もしくはＳＬＰ２３２および／または図３におけるロケーションサーバ３０２に相当し得る。図４において例示するようなＵＥ４０２の測位は、ＵＥ４０２とロケーションサーバ４０４との間でのＬＰＰメッセージの交換を介してサポートされる。ＬＰＰメッセージ、およびそれらがサポートする手順が、３ＧＰＰ  ＴＳ３６．３５５に記載されている。図４に示す手順は、ＵＥ４０２のための（または、ＵＥ４０２のユーザのための）ナビゲーションもしくは方向探知サポートのようないくつかのロケーション関連サービスをサポートするために、またはＵＥ４０２からＰＳＡＰへの緊急呼に関連する、ＰＳＡＰへの出動可能ロケーションの経路指定もしくは供給（provision）のために、またはいくつかの他の理由のために、ＵＥを測位するために使用され得る。最初に随意のステップとして、ＵＥ４０２は、ＬＰＰを使用してＵＥ４０２によってサポートされる測位方法とこれらの測位方法の機能とを示すＬＰＰ提供機能メッセージ（Provide Capabilities message）４０６をロケーションサーバ４０４へ送ることによって、その測位機能をＬＰＰプロトコルに対するロケーションサーバ４０４に提供し得る。ロケーションサーバ４０４は、次いで、−  たとえば、メッセージ４０６の中で送られたＵＥ４０２機能がＵＥ４０２によるＯＴＤＯＡのサポートを示すので、および／またはＵＥ４０２が現在ロケーションサーバ４０４を含むサービングネットワークへのＬＴＥワイヤレスアクセスを有し得るので、ＬＴＥアクセス用のＯＴＤＯＡを使用してＵＥ４０２を測位することを決定し得る。ロケーションサーバ４０４は、次いで、ＬＰＰ提供支援データメッセージ４０８をＵＥ４０２へ送り得る。ＬＰＰ提供支援データメッセージ４０８は、ＵＥ４０２がＯＴＤＯＡ  ＲＳＴＤ測定値を作成し戻すことを可能にするためのＯＴＤＯＡ支援データを含み得、基準セル用のグローバルＩＤと、基準セル用の物理セルＩＤと、周波数情報と、ＰＲＳ信号情報（たとえば、帯域幅、ＰＲＳ測位オケージョン当たりのサブフレーム数、ＰＲＳ測位オケージョンの開始点および周期性、ミューティング系列）とを含み得る、基準セルに関する情報を含み得る。ＬＰＰ提供支援データメッセージ４０８はまた、隣接セル用のＯＴＤＯＡ支援データを含み得る。一例では、ＵＥ４０２が周波数間ＲＳＴＤ測定に対するサポートを示す場合、隣接セル支援データが、最高３つの周波数レイヤに対して提供され得る。メッセージ４０８の中で隣接セルごとに提供される情報は、基準セルに対して提供されるものと類似であり得る（たとえば、セルＩＤと、セル周波数と、ＰＲＳ信号情報とを含み得る）。ロケーションサーバ４０４は、次いで、メッセージ４０８の中で示される基準セルおよび隣接セルに対するＯＴＤＯＡ  ＲＳＴＤ測定値を要求するため��、ＬＰＰ要求ロケーション情報メッセージ４１０をＵＥ４０２へ送り得る。ＬＰＰ要求ロケーション情報メッセージ４１０は、現在のエリアにおける予想マルチパスおよび非見通し（ＬＯＳ）信号伝搬に関する情報をＵＥ４０２に提供するための環境特性付けデータを含み得る。ＬＰＰ要求ロケーション情報メッセージ４１０はまた、（たとえば、ＵＥによって提供されるＲＳＴＤ測定値に基づくロケーション推定値の）所望確度と、応答時間（たとえば、ＵＥ４０２によるＬＰＰ要求ロケーション情報メッセージ４１０の受信とＵＥ４０２によるＬＰＰ提供ロケーション情報メッセージ４１４の送信の時間との間の最大時間）とを含み得る。随意の周期報告期間も、メッセージの中に含められてよい。
【０１０９】
[00107]ステージ４１２において、ＵＥ４０２は、ＯＴＤＯＡ測位方法のためのＲＳＴＤ測定を実行するために、メッセージ４０８の中で受信されたＯＴＤＯＡ支援情報と、メッセージ４１０の中で受信された任意の追加のデータ（たとえば、要求ＱｏＳ）とを利用する。ＲＳＴＤ測定は、メッセージ４０８の中で示される基準セルと隣接セルの各々との間で行われ得る。代替として、ＵＥ４０２は、異なる基準セルを選んでもよい（たとえば、メッセージ４０８の中で示される基準セルから強い信号が受信されない場合、またはこの基準セルがＵＥ４０２用の現在のサービングセルでない場合）。ステージ４１２においてＵＥによって測定される基準セル、および／またはＵＥ４０２によって測定される隣接セルのうちの１つもしくは複数は、不明確セルであり得る。ＵＥ４０２は不明確セルを認識していることがありまたは認識していないこともあるが、とはいえ、各不明確セルに対する無線ソース（たとえば、アンテナまたはアンテナ素子）を使用して、これらのセルに対するＲＳＴＤ測定値を作成できる場合があり、不明確セルごとに測定される無線ソースの識別情報は、ＵＥ４０２に知られていないことがある。ＵＥ４０２は、次いで、要求されたＲＳＴＤ測定値の一部または全部がステージ４１２において取得された後、および最大応答（たとえば、メッセージ４１０の中でロケーションサーバ４０４によって提供される最大応答時間）が満了する前、満了するとき、または場合によっては満了した後に、ＬＰＰ提供ロケーション情報メッセージ４１４をロケーションサーバ４０４へ送る。ＬＰＰ提供ロケーション情報メッセージ４１４は、ＲＳＴＤ測定値が取得された時間と、ＲＳＴＤ測定値に対する基準セルの識別情報（たとえば、基準セルＩＤおよびキャリア周波数）とを含み得る。メッセージ４１４はまた、測定される隣接セルごとに、セルの識別情報（たとえば、物理セルＩＤ、グローバルセルＩＤ、および／またはセルキャリア周波数）と、セルに対するＲＳＴＤ測定値と、セルに対するＲＳＴＤ測定値の品質とを含む、隣接セル測定値リストを含み得る。隣接セル測定値リストは、１つまたは複数の不明確セル（たとえば、不明確基準セルおよび／または１つもしくは複数の不明確隣接セル）に対するＲＳＴＤデータを含み得る。
【０１１０】
[00108]ステージ４１６において、ロケーションサーバ４０４は、ステージ４１２においてＵＥによって測定された任意の（たとえば、各）不明確セルに関連する特定の無線ソース（たとえば、特定のアンテナ、ＤＡＳアンテナ素子、ＲＲＨ、リピータ、またはリレー）を決定するために、前に説明した技法のうちの１つまたは複数（たとえば、式（１）〜式（１６）に関連する技法のうちの１つまたは複数）を採用するように構成され得る。ロケーションサーバ４０４は、前に説明したように（たとえば、式（１）〜式（１６）に関連して、および／または前に説明したように変数ＢもしくはバイアスＢ＊を取得することによって）ＵＥ４０２のロケーションを取得するために、ステージ４１６において任意の（または、各）不明確セルに対して決定された無線ソースをさらに使用し得る。それによって、ＵＥ４０２のロケーションが不明確でないセルに対してメッセージ４１４の中でＵＥ４０２によって戻されたＲＳＴＤ測定値のみを使用して取得されていた場合よりも正確に、ＵＥ４０２のロケーションが取得され得る。より正確なロケーションは、ＵＥ４０２の測位が誘発された（instigated）ロケーション関連サービスにとって有効であり得る。ステージ４１６において、そのような決定された各無線ソースを使用して任意の不明確セルに対する無線ソースを決定する際に、および／またはＵＥ４０２のロケーションを取得する際に、ロケーションサーバは、セルごとのアンテナのロケーション、ＤＡＳを採用する不明確セル用の各アンテナ素子のロケーション、ＲＲＨを採用する不明確セル用の各ＲＲＨアンテナのロケーションなどの、ＵＥ４０２によって測定される基準セル、各隣接セル、および各不明確セルに関して知られている情報と、ネットワーク同期およびネットワーク同期点（たとえば、図３に関連して前に言及された内部信号伝搬遅延ＫｎおよびＫＤｍ）についての情報と、他の情報とを利用し得る。そのような情報は、ＢＳＡを含み得るかまたはＢＳＡの一部であり得、図３におけるアルマナック３０４などのアルマナックデータベースの中に記憶され得る。
【０１１１】
[00109]一実施形態では、１つまたは複数の不明確セルの各々に対する無線ソースの決定およびＵＥ４０２に対するロケーションの算出のためのステージ４１６は、ステージ４１２においてＲＳＴＤ測定値を取得した後、ロケーションサーバ４０４ではなくＵＥ４０２によって実行され得る。この実施形態は、ＵＥ４０２によるＵＥ４０２に対するロケーション推定値の算出を可能にする、測定された基準セルおよび隣接セルに関する情報が、ロケーションサーバ４０４によってＬＰＰ提供支援データメッセージ４０８の中に含められる場合にサポートされ得る。情報は、不明確でないセルごとのロケーション座標（たとえば、図３の例では各アンテナＡｎのロケーション座標Ｘｎ、Ｙｎ、Ｚｎ）と、不明確セルの中で使用される別個の無線ソースごとのロケーション座標（たとえば、図３の例では各アンテナ素子ＡＥｍのロケーション座標ｘｍ、ｙｍ、ｚｍ）と、（たとえば、図３における例に関する内部伝搬遅延ＫｎおよびＫＤｍなどの）任意の内部信号伝搬遅延または遅延差とを含み得る。情報は、図３および（後で説明するような）図５におけるアルマナック３０４などのアルマナックから取得され得る。（この実施形態において、ステージ４１２に続いてＵＥ４０２によって実行される）ステージ４１６においてＵＥ４０２に対するロケーションを取得していると、ＵＥ４０２は、算出されたＵＥロケーションをロケーションサーバ４０４へ、ＬＰＰ提供ロケーション情報メッセージ４１４の中で送り得る。ロケーションサーバ４０４は、次いで、前述のような様々なロケーション関連サービスをサポートまたは提供するために、ＵＥ４０２ロケーションを使用し得る。
【０１１２】
[00110]図４はＬＰＰプロトコルを使用するＯＴＤＯＡ測位のための例示的なサポートを示すが、プロトコルおよび／または測位方法が異なり得る他の例が存在することに留意されたい。たとえば、代替実施形態では、測位プロトコルは、ＬＰＰｅ、ＬＰＰ／ＬＰＰｅ、３ＧＰＰ  ＴＳ３６．３３１において規定されるＲＲＣプロトコル、または３ＧＰＰ２  ＴＳ  Ｃ．Ｓ００２２において規定されるＩＳ−８０１プロトコルであってよい。同様に、測位方法は、ＵＭＴＳアクセス用のＯＴＤＯＡ、ＧＳＭ用の拡張観測時間差（Ｅ−ＯＴＤ）、またはＡＦＬＴであってよい。
【０１１３】
[00111]図１〜図４をさらに参照しながら図５を参照すると、通信ネットワークサーバ上の例示的なデータ構造５００が示される。追加のテーブル、インデックス、フィールド、および関係が使用され得るので、データ構造は例にすぎず限定でない。一例では、データ構造５００は、セルテーブル５０２などのデータテーブルとアンテナテーブル５０４−１、５０４−２〜５０４−Ｍとを集めたもの（a collection of ）を備える図３のアルマナック３０４を含む。アルマナック３０４は、リレーショナルデータベース（たとえば、Ｏｒａｃｌｅ（登録商標）、Ｍｉｃｒｏｓｏｆｔ  ＳＱＬサーバ、Ｒ：ベースなど）であってよく、または単層ファイル（flat files）（たとえば、ＸＭＬ）を集めたものであってもよい。セルテーブル５０２は、特定のセル−  たとえば、ＬＴＥアクセスをサポートするセル、におけるダウンリンク無線送信に関連する情報を含み得る。セルテーブル５０２の中の情報は、複数のアンテナを使用する（たとえば、不明確セルなどの）任意のセルの場合には、関連するセルによって使用されるすべてのアンテナに共通であってよい。セルテーブル５０２の中の情報は、ＵＥの（たとえば、ＯＴＤＯＡ測位を使用する）測位をサポートすることが主に意図され得、物理セルＩＤおよび／またはグローバルセルＩＤ、セルのキャリア周波数、セルによってサポートされる周波数帯域、ＯＴＤＯＡ測位をサポートするためのセルにとってのＰＲＳ信号情報（たとえば、ＰＲＳ測位オケージョン当たりのＬＴＥサブフレーム数、ＰＲＳ測位オケージョンの周期性、ミューティングパターン）、および他の近くの隣接セルの識別情報（identities）のリストなどの、セル用の識別情報を含み得る。セルテーブル５０２はまた、セルテーブル５０２を１つまたは複数のアンテナテーブル５０４−１、５０４−２、．．．５０４−Ｍに関連付ける１つもしくは複数のポインタまたはいくつかの他の情報を含み得る。アンテナテーブル５０４−１、５０４−２、．．．５０４−Ｍは、（たとえば、ポインタを介して）互いに関連付けられ得るか、またはセルテーブル５０２のみに関連付けられ得る。各アンテナテーブル５０４−ｍは、テーブル５０２に関連付けられたセルの中でダウンリンク信号を送信するために、および場合によっては、セルテーブル５０２に関連付けられたセルからカバレージを受信するＵＥからアップリンク信号を受信するために使用され得る、１つのアンテナに関する情報を提供し得る。テーブル５０２に関連付けられたセルが１つのアンテナだけを有する場合、１つのアンテナテーブル５０４−１しかあり得ず、アンテナテーブル５０４−２〜５０４−Ｍ（破線を用いて示す）は存在しない。テーブル５０２に関連付けられたセルが不明確セルである（たとえば、いくつかのＲＲＨを有するか、またはＤＡＳである）場合、アンテナテーブル（たとえば、図５に示すような５０４−１．５０４−２、．．．５０４−Ｍ）よりも多くあり得、各アンテナテーブルが、セルの中の異なるアンテナまたは異なるアンテナ素子に関する情報を提供する。各アンテナテーブル５０４−ｍの中の情報は、アンテナロケーション座標、アンテナＩＤ、内部信号伝搬遅延（たとえば、図３に関連して前に説明した内部信号遅延Ｋ���またはＫＤｍと類似かまたは同じ遅延）、および近くの隣接セルのＩＤのリストなどの、関連付けられたアンテナにとって一意である情報を含み得る。
【０１１４】
[00112]アルマナック３０４は、図３および式（１）〜式（１６）に関連して説明した様々な測位技法をサポートするために使用され得る。たとえば、図３に示すｅＮＢ１  ３１０−１〜Ｎ  ３１０−Ｎの場合には、任意のｅＮＢ  ｎ（１≦ｎ≦Ｎ）によってサポートされるセル（または、１つの特定のセル）に関する情報は、セルテーブル５０２などのテーブルの中に含まれ得、このセルに関連付けられた単一のアンテナＡｎに関する情報は、アンテナテーブル５０４−１の中に含まれ得る（たとえば、テーブル５０４−１の中の内部信号遅延は、その時、アンテナＡｎに対するＫｎとしての値を提供することができる）。図３におけるｅＮＢ  Ｎ＋１  ３１２によってサポートされる不明確セルの場合には、不明確セルに関する共通の情報（たとえば、不明確セル用のすべてのアンテナ素子に共通の情報）が、セルテーブル５０２などのテーブルの中に含まれ得、不明確セル用の各アンテナ素子ＡＥｍ（１≦ｍ≦Ｍ）の情報が、アンテナテーブル５０４−ｍなどのテーブルの中に含まれ得る（たとえば、アンテナテーブル５０４−ｍの中の内部信号遅延は、その時、アンテナ素子ＡＥｍに対するＫＤｍとしての値を提供することができる）。この場合、各々がＭ個のアンテナ素子ＡＥ１、ＡＥ２、．．．、ＡＥｍのうちの異なるアンテナ素子（ones）に関する情報に対応するとともにそうした情報を提供するＭ個のアンテナテーブル５０４−１、５０４−２、．．．５０４−Ｍがある。
【０１１５】
[00113]データ構造５００は、図３のロケーションサーバ３０２、図４のロケーションサーバ４０４の中に含まれてよく、および／またはワイヤレス通信システム３００内の別のリモートサーバであってよい（または、その中に含まれてよい）。データ構造５００は、無線アクセス技術および測位方法に基づいて、他のまたは追加のテーブルとフィールドとを含んでよい。一例では、アルマナック３０４は、ＲＦヒートマップデータなどのＲＦフィンガープリンティング情報を含んでよい。ヒートマップデータは、ロケーションによってインデックス付けされてよく、たとえば、ロケーション情報に基づいて１つまたは複数のノード／アンテナに対する予想信号強度情報（expected signal strength information）を提供し得る。一実施形態では、データ構造５００の中の情報の一部または全部は、図４に関して上記で説明したＬＰＰ提供支援データメッセージ４０８の中でＵＥ４０２に提供され得る。たとえば、不明確セルの場合には、ロケーションサーバ４０４は、ＵＥ４０２が不明確セルの中の複数の無線ソース（たとえば、複数のＤＡＳアンテナ素子）に関する情報に基づいてそれ自体のロケーションを算出することを可能にするために、テーブル５０２および５０４−１〜５０４−Ｍの中の情報をＵＥ４０２に提供し得る。
【０１１６】
[00114]図１〜図５をさらに参照しながら図６を参照すると、不明確セルに基づいてＵＥ１００の現在位置を計算するためのプロセス６００は、図示のステージを含む。ただし、プロセス６００は例にすぎず限定的でない。プロセス６００は、たとえば、ステージを追加させ、削除させ、並べ替えさせ、組み合わせ、および／または並行して（concurrently）実行させることによって改変されて（altered）よい。
【０１１７】
[00115]ステージ６０２において、ロケーションサーバは、Ｅ−ＳＭＬＣ２０８、ＳＬＰ２３２、ロケーションサーバ３０２、またはロケーションサーバ４０４であってよく、位置特定支援データをＵＥに提供するように構成され、それはＵＥ１００であってよく、位置特定支援データは少なくとも１つの不明確セルを含む。一例では、ロケーションサーバは、位置特定支援データをＵＥに提供しなくてよい（たとえば、ＵＥによって要求されない場合）。Ｅ−ＳＭＬＣ２０８、ＳＬＰ２３２、および／またはアルマナック３０４は、位置特定支援データをＵＥに提供するための手段であり得る。ステージ６０２は、図４におけるＬＰＰ提供支援データメッセージ４０８に相当し得る。ステージ６０２において転送される位置特定支援データは、ＵＥがＲＳＴＤ測定を実行することを可能にするために、基準セル情報と隣接セル情報とを含み得る。位置特定支援データは、アルマナック３０４内のデータ構造５００の中に記憶されたデータを含み得、不明確セルに対するデータ（たとえば、アルマナック３０４からのデータ）を含み得る。本明細書で使用する不明確セルという用語は、概して、（ｉ）ＵＥの測位のためにＵＥによって測定され得る同じダウンリンク無線信号（たとえば、同じＰＲＳ信号）の複数のソースを含むセル、または（ｉｉ）別の近接セルと同じ測位関連無線信号（たとえば、同じＰＲＳ信号）を送信するセルのいずれかを指す。一例では、不明確セルは、セル内の異なるロケーションにおけるアンテナによって同じセル内で同一の無線信号を送信するように構成された無線アクセス技術であってよい（たとえば、サイマルキャスト）。不明確セルの特定の例は、分散アンテナシステム（ＤＡＳ）、１つまたは複数のリモートラジオヘッド（ＲＲＨ）、１つまたは複数のリピータ、および／あるいは１つまたは複数のリレーを含む。
【０１１８】
[00116]ステージ６０４において、ロケーションサーバは、測定データを求める要求をＵＥに提供するように構成される。一例では、ＵＥは、場合によっては前に要求を受信することなく（たとえば、ロケーションサーバでなくＵＥがＵＥの測位を誘発している場合）、ロケーションサーバに測定データを提供し得る。ステージ６０４は、図４におけるＬＰＰ要求ロケーション情報メッセージ４１０に相当し得る。ステージ６０４において送られる要求は、ＵＥに、ステージ６０２において提供された位置特定支援データに基づいて信号測定値を取得するように命令するように構成され得る。一例では、ステージ６０４における要求は、環境特性付けデータ、（たとえば、ＵＥによって提供されるＲＳＴＤ測定値に基づくロケーション推定値の）所望確度値、応答時間、および／または周期報告期間などの、追加のパラメータを含み得る。
【０１１９】
[00117]ステージ６０６において、ロケーションサーバは、ＵＥから測定データを受信するように構成され、測定データは、不明確セルに対する少なくとも１つの測定値を含む。不明確セルは、ステージ６０２が行われる場合、ステージ６０２において送られた位置特定支援データの中に含まれるのと同じ不明確セルである。不明確セルは、リピータ、リモートラジオヘッド、リレー、分散アンテナシステム、および／または別の近接セルのものと同一の測位基準信号を利用し得る。ステージ６０６は、図４におけるＬＰＰ提供ロケーション情報メッセージ４１４に相当し得る。ステージ６０６において受信される測定データは、ＵＥによって生成され得、ＯＴＤＯＡ測位方法のための、測定に対するタイムスタンプおよび／またはＲＳＴＤ測定値のセットを含み得る。ステージ６０６においてＲＳＴＤ測定値を提供する場合には、測定データは、基準セルに対するＴＯＡ測定値の品質および／または隣接セルのセットに対するＲＳＴＤ測定値の品質を含み得る（たとえば、測定される隣接セルごとに、識別情報と、ＲＳＴＤ測定値と、ＲＳＴＤ測定値の品質とを含み得る）。不明確セルに対する少なくとも１つの測定値は、ＲＳＴＤ測定値であってよく、その場合、不明確セルは、このＲＳＴＤ測定値に対する基準セルまたは隣接セルであってよい。
【０１２０】
[00118]ステージ６０８において、ロケーションサーバは、ステージ６０６において受信された不明確セルに対する少なくとも１つの測定値に少なくとも部分的に基づいて、ＵＥの現在位置を計算するように構成される。ロケーションサーバは、ＵＥの現在位置を計算するために、図３および式（１）〜式（１６）に関連して上記で説明した技法を利用するように構成され得る。たとえば、上記で説明したプロセスステップおよび式は、ロケーションサーバ内でのコンピュータ実行可能ステップとしてメモリユニット内に記憶されてよく、ロケーションサーバにおける１つまたは複数のプロセッサは、ＵＥの現在位置を計算するためのコンピュータ実行可能ステップを実行するように構成され得る。
【０１２１】
[00119]一実施形態では、不明確セルに対する特定の無線ソース（たとえば、特定のＲＲＨ、ＤＡＳアンテナ素子、リピータ、またはリレー）は、ステージ６０６において受信された不明確セルに対する最も小さい１つの測定値、およびアルマナック３０４におけるデータに基づいて、ステージ６０８においてロケーションサーバによって決定され得る。アルマナック３０４は、図５に関連して説明したような、不明確セルに対するセルテーブル５０２および／またはアンテナテーブル５０４−１〜５０４−Ｍを含み得る。ステージ６０８において決定される特定の無線ソースは、ステージ６０６において不明確セルに対する少なくとも１つの測定値を提供するためにＵＥによって測定されたもの（the one）であり得る。たとえば、無線ソースは、不明確セルが基準セルまたは隣接セルである、ステージ６０６においてＲＳＴＤ測定値を提供するためにＵＥによって測定された無線ソースであり得る。ＵＥのロケーションは、次いで、不明確セルに対して決定された無線ソース、ステージ６０６において受信された測定データ、ならびに不明確セルおよび任意の他の被測定セルに対するアルマナックデータ３０４を利用して、ステージ６０８において取得または再取得され得る。最小限必要とされるよりも多くの測定値が提供されるとき、および／または測定値の一部もしくは全部が誤差を含むとき、ＵＥロケーションを取得または再取得することは、反復の使用および／または最小２乗法の使用を含み得る。
【０１２２】
[00120]図１〜図６をさらに参照しながら図７を参照すると、ＲＳＴＤ測定値に基づいてロケーションをＵＥ（たとえば、ＵＥ１００またはＵＥ４０２）に、または外部クライアント（たとえば、緊急呼のためのロケーションの場合にはｉ３  ＰＳＡＰ２４４またはレガシーＰＳＡＰ２４８などのＰＳＡＰ）に提供するためのプロセス７００は、図示のステージを含む。ただし、プロセス７００は例にすぎず限定的でない。プロセス７００は、たとえば、ステージを追加させ、削除させ、並べ替えさせ、組み合わせ、および／または並行して実行させることによって改変されてよい。たとえば、ＵＥに対するロケーションは、ロケーションサーバ上に記憶されてよく、またはネットワーク（たとえば、ネットワーク２５０）内で内部的に使用されてよくＵＥもしくは外部クライアントに提供されなくてよい。プロセス７００のためのロケーションサーバは、Ｅ−ＳＭＬＣ２０８、ＳＬＰ２３２、ロケーションサーバ３０２、またはロケーションサーバ４０４であってよい。
【０１２３】
[00121]ステージ７０２において、ロケーションサーバは、複数のセルに対して測定された基準信号時間差（ＲＳＴＤ）データを、ＵＥ１００から受信するように構成され、複数のセルのうちの少なくとも１つは不明確セルである。ＲＳＴＤデータは、図４におけるメッセージ４１４に相当し得るＬＰＰ提供ロケーション情報メッセージの中で提供され得る。一例では、図３を参照すると、ＲＳＴＤデータは、不明確でないセル（たとえば、ｅＮＢ１  ３１０−１〜Ｎ  ３１０−Ｎのためのセル）および１つまたは複数の不明確セル（たとえば、ｅＮＢ  Ｎ＋１  ３１２のための不明確セル）に対して測定され得る。
【０１２４】
[00122]ステージ７０４において、ロケーションサーバは、ステージ７０２において受信された不明確セルに対して測定されたＲＳＴＤデータに少なくとも部分的に基づいて、ＵＥに対するロケーションを決定するように構成される。ロケーションサーバ３０２は、図３に関連して上で提供された式（１）〜式（１６）に基づいて、ＵＥのＸ、Ｙ、およびＺ座標（または、ＸおよびＹ座標のみ）の値を求めるように構成され得る。ステージ７０６において、ロケーションサーバ３０２は、決定されたロケーションを外部クライアントまたはＵＥに提供するように構成され得る。一例では、ロケーションサーバは、ロケーションを記憶し得るか、または他のロケーションベースサービス（たとえば、ＬＲＦ２３０によって緊急呼の経路指定を決定することなどの）のために、ロケーション情報を別のサーバもしくは他のネットワークエンティティ（たとえば、ＬＲＦ２３０）に提供し得る。
【０１２５】
[00123]図１〜図５をさらに参照しながら図８Ａを参照すると、１つまたは複数の不明確セルに基づいてＵＥに対する現在のロケーションを決定するためにＵＥを利用するためのプロセス８００は、図示のステージを含む。ただし、プロセス８００は例にすぎず限定的でない。プロセス８００は、たとえば、ステージを追加させ、削除させ、並べ替えさせ、組み合わせ、および／または並行して実行させることによって改変されてよい。プロセス８００のためのＵＥは、ＵＥ１００またはＵＥ４０２であってよい。プロセス８００のためのロケーションサーバは、Ｅ−ＳＭＬＣ２０８、ＳＬＰ２３２、ロケーションサーバ３０２、またはロケーションサーバ４０４であってよい。
【０１２６】
[00124]ステージ８０２において、ＵＥ１００は、ロケーションサーバから位置特定支援データを受信するように構成され、位置特定支援データは、少なくとも１つの不明確セルを含む。位置特定支援データは、図４におけるメッセージ４０８に相当し得るＬＰＰ提供支援データメッセージの中で受信され得る。一例では、不明確セルは、ＯＴＤＯＡ測位方法のための基準セル、または隣接セルとして識別され得る。不明確セルは、図３におけるｅＮＢ  Ｎ＋１  ３１２に対する不明確セルに相当し得る。ステージ８０４において、ＵＥ１００は、測定値を求める要求を受信するように構成される。一例では、要求は、図４におけるメッセージ４１０などのＬＰＰ要求ロケーション情報メッセージの中で受信され得る。ステージ８０４における要求は、ＵＥ１００に、信号測定値−  たとえば、ＯＴＤＯＡのためのＲＳＴＤ測定値、を決定するように命令するように構成される。ステージ８０４における要求は、環境特性付けデータ、（たとえば、ＵＥによって提供されるＲＳＴＤ測定値に基づくロケーション推定値の）所望確度値、応答時間、および／または周期報告期間などの、追加のパラメータを含み得る。ＵＥ１００におけるワイヤレストランシーバ１２１は、ステージ６０４において測定値を求める要求を受信するための手段であり得る。一実施形態では、ステージ８０２において受信される位置特定支援データおよびステージ８０４において受信される測定値を求める要求は、同じメッセージ内で受信されてよい。このメッセージは、ＳＵＰＬ、ＬＰＰ、ＬＰＰ／ＬＰＰｅ、または１つもしくは複数のいくつかの他のプロトコル（たとえば、トランスポートプロトコル）に対して規定され得る。
【０１２７】
[00125]ステージ８０６において、ＵＥ１００は、複数のセルに対する測定値を取得するように構成され、少なくとも１つの測定値は、不明確セル（たとえば、ステージ８０２において含められる不明確セル）に対するものである。不明確セルは、リピータ、リモートラジオヘッド、リレー、分散アンテナシステム、または別の近接セルのものと同一の測位基準信号のうちの１つ（または、少なくとも１つ）を利用し得る。ワイヤレストランシーバ１２１およびプロセッサ１１１は、測定値を取得するための手段であり得る。測定値は、基準セルおよび１つまたは複数の隣接セルに対するＯＴＤＯＡ測位方法のためのＲＳＴＤ測定値を含み得る。（ｉ）ステージ８０６においてどの測定値を取得すべきか（たとえば、ＲＳＴＤ測定値を取得すべきかどうか、およびそうである場合、どの基準セルおよび隣接セルを測定すべきか）を決定するために、また場合によっては、（ｉｉ）（たとえば、ＲＳＴＤ測定値が必要とされるＰＲＳ信号の特性をあらかじめ知るように）測定値を取得するのを支援するために、ＵＥ１００は、ステージ８０２が行われる場合にはステージ８０２において受信された支援データを、および／またはステージ８０４が行われる場合にはステージ８０４において受信された測定値を求める要求を使用し得る。
【０１２８】
[00126]ステージ８０８において、ＵＥのロケーションは、不明確セルに対する少なくとも１つの測定値に少なくとも部分的に基づいて決定または可能にされる。ステージ８０８は、ローカル処理および／またはリモート処理などの、ＵＥに対するロケーションの決定を可能にするための異なる方法を表す。一例では、不明確セルが基準セルである、ステージ８０６において、ＲＳＴＤ測定値をＵＥが取得する場合、メモリ１４０は、（たとえば、ステージ８０６におけるすべてのＲＳＴＤ測定にとって、不明確セルに対する同じアンテナまたは同じアンテナ素子がＵＥによって測定されたと想定すること以外の）不明確セルのいかなる知識も用いずに、ＵＥのＸ、Ｙ、Ｚロケーション座標（または、Ｘ、Ｙロケーション座標のみ）を決定するための命令を含む。他の実施形態では、ＲＳＴＤ測定値がステージ８０６において取得される場合、不明確セルは、１つまたは複数のＲＳＴＤ測定値に対する基準セルまたは隣接セルであり得、（ｉ）ＵＥの初期ロケーションを計算し、（ｉｉ）ステージ８０６においてＵＥによってどの無線ソース（たとえば、ＤＡＳを伴う不明確セルに対するどのアンテナ素子）が測定されたのかを決定し、（ｉｉｉ）不明確セルに対して決定された無線ソースに基づいて、ＵＥに対するもっと正確な別のロケーションを取得するために、ＵＥは、図３および式（１）〜式（１６）に関連して前に説明した技法を使用し得る。ＵＥのためのメモリ１４０は、本明細書で説明する手順および式に基づくコンピュータ実行可能命令を含み得る。
【０１２９】
[00127]図１〜５をさらに参照しながら図８Ｂを参照すると、１つまたは複数の不明確セルに基づいてＵＥに対する現在のロケーションを決定するためにＵＥを利用するための別のプロセス８５０は、図示のステージを含む。ただし、プロセス８５０は例にすぎず限定的でない。プロセス８５０は、たとえば、ステージを追加させ、削除させ、並べ替えさせ、組み合わせ、および／または並行して実行させることによって改変されてよい。たとえば、ＵＥ１００が支援データと測定値要求とを受信しないことがあるので、ステージ８５２およびステージ８５４は随意である。ＵＥ１００は、ステージ８６２において測定値（たとえば、ＲＳＴＤ測定値）をロケーションサーバに提供し、ステージ８６４においてロケーションサーバから現在のロケーションを受信するように構成され得る（たとえば、リモート処理）。代替実施形態では、ＵＥは、ステージ８６０において現在のロケーションをローカルに計算し得る。プロセス８５０のためのＵＥは、ＵＥ１００またはＵＥ４０２であってよい。プロセス８５０のためのロケーションサーバは、Ｅ−ＳＭＬＣ２０８、ＳＬＰ２３２、ロケーションサーバ３０２、またはロケーションサーバ４０４であってよい。
【０１３０】
[00128]ステージ８５２において、ＵＥ１００は、ロケーションサーバから位置特定支援データを受信するように随意に構成され、位置特定支援データは、少なくとも１つの不明確セルを含む。位置特定支援データは、図４におけるメッセージ４０８に相当し得るＬＰＰ提供支援データメッセージの中で受信され得る。一例では、不明確セルは、ＯＴＤＯＡ測位方法のための基準セル、または隣接セルとして識別され得る。不明確セルは、図３におけるｅＮＢ  Ｎ＋１  ３１２に対する不明確セルに相当し得る。ステージ８５４において、ＵＥ１００は、測定値を求める要求を受信するように随意に構成される。一例では、要求は、図４におけるメッセージ４１０などのＬＰＰ要求ロケーション情報メッセージの中で受信され得る。ステージ８５４における要求は、ＵＥ１００に、信号測定値−  たとえば、ＯＴＤＯＡのためのＲＳＴＤ測定値、を決定するように命令するように構成される。ステージ８５４における要求は、環境特性付けデータ、（たとえば、ＵＥによって提供されるＲＳＴＤ測定値に基づくロケーション推定値の）所望確度値、応答時間、および／または周期報告期間などの、追加のパラメータを含み得る。ＵＥ１００におけるワイヤレストランシーバ１２１は、ステージ６０４において測定値を求める要求を受信するための手段であり得る。一実施形態では、ステージ８５２において受信される位置特定支援データおよびステージ８５４において受信される測定値を求める要求は、同じメッセージ内で受信されてよい。このメッセージは、ＳＵＰＬ、ＬＰＰ、ＬＰＰ／ＬＰＰｅ、または１つもしくは複数のいくつかの他のプロトコル（たとえば、トランスポートプロトコル）に対して規定され得る。
【０１３１】
[00129]ステージ８５６において、ＵＥ１００は、複数のセルに対する測定値を取得するように構成され、少なくとも１つの測定値は、不明確セル（たとえば、ステージ８５２において含められる不明確セル）に対するものである。不明確セルは、リピータ、リモートラジオヘッド、リレー、分散アンテナシステム、または別の近接セルのものと同一の測位基準信号のうちの１つ（または、少なくとも１つ）を利用し得る。ワイヤレストランシーバ１２１およびプロセッサ１１１は、測定値を取得するための手段であり得る。測定値は、基準セルおよび１つまたは複数の隣接セルに対するＯＴＤＯＡ測位方法のためのＲＳＴＤ測定値を含み得る。（ｉ）ステージ８５６においてどの測定値を取得すべきか（たとえば、ＲＳＴＤ測定値を取得すべきかどうか、およびそうである場合、どの基準セルおよび隣接セルを測定すべきか）を決定するために、また場合によっては、（ｉｉ）（たとえば、それに対してＲＳＴＤ測定値が必要とされるＰＲＳ信号の特性をあらかじめ知るように）測定値を取得するのを支援するために、ＵＥ１００は、ステージ８５２が行われる場合にはステージ８５２において受信された支援データを、および／またはステージ８５４が行われる場合にはステージ８５４において受信された測定値を求める要求を使用し得る。
【０１３２】
[00130]ステージ８５８において、ＵＥのロケーションは、不明確セルに対する少なくとも１つの測定値に少なくとも部分的に基づいて決定または可能にされる。ステージ８５８は、ローカル処理および／またはリモート処理などの、ＵＥに対するロケーションの決定を可能にするための異なる方法を表す。一実施形態では、ステージ８６２において、ＵＥは、ステージ８５６において取得された（不明確セルに対する少なくとも１つの測定値を含む）測定値をロケーションサーバへ送るように構成される（たとえば、リモート処理の場合）。測定値は、図４におけるメッセージ４１４などのＬＰＰ提供ロケーション情報メッセージの中で送られ得る。一実施形態では、測定値は、図３および式（１）〜式（１６）に関連して前に説明した技法を使用して、ＵＥに対するロケーションを決定するためにロケーションサーバが使用し得る不明確セルに対する少なくとも１つのＲＳＴＤ測定値を含むＲＳＴＤ測定値を含み得る。随意であるステージ８５４において、ＵＥは、ＵＥに対して決定されたロケーションをロケーションサーバから受信し得る。代替として、ステージ８６０において、ＵＥは、ＵＥのロケーションを計算するように構成される（たとえば、ローカル処理）。プロセッサ１１１は、ＵＥのロケーションを計算するための手段であり得る。一例では、ステージ８５６においてそれに対して不明確セルが基準セルであるＲＳＴＤ測定値をＵＥが取得する場合、メモリ１４０は、（たとえば、ステージ８５６におけるすべてのＲＳＴＤ測定にとって、不明確セルに対する同じアンテナまたは同じアンテナ素子がＵＥによって測定されたと想定すること以外の）不明確セルのいかなる知識も用いずに、ＵＥのＸ、Ｙ、Ｚロケーション座標（または、Ｘ、Ｙロケーション座標のみ）を決定するための命令を含む。他の実施形態では、ＲＳＴＤ測定値がステージ８５６において取得される場合、不明確セルは、１つまたは複数のＲＳＴＤ測定値に対する基準セルまたは隣接セルであり得、（ｉ）ＵＥの初期ロケーションを計算し、（ｉｉ）ステージ８５６においてＵＥによってどの無線ソース（たとえば、ＤＡＳを伴う不明確セルに対するどのアンテナ素子）が測定されたのかを決定し、（ｉｉｉ）不明確セルに対して決定された無線ソースに基づいて、ＵＥに対するもっと正確な別のロケーションを取得するために、ＵＥは、図３および式（１）〜式（１６）に関連して前に説明した技法を使用し得る。ＵＥのためのメモリ１４０は、本明細書で説明する手順および式に基づくコンピュータ実行可能命令を含み得る。
【０１３３】
[00131]図１〜図８Ｂに関連して前に説明した技法および本明細書において図１０に対して後で説明する例は、１つまたは複数の不明確セルがある例を利用する。しかしながら、同じ技法が部分的に不明確なセルの場合に使用されてよい。たとえば、セルは、複数の無線ソース（たとえば、ＤＡＳアンテナ素子、ＲＲＨ、リピータ、および／またはリレー）を利用してよく、無線ソースのうちのいくつかが、異なる測位関連信号（たとえば、ＯＴＤＯＡのためのＰＲＳ信号）を他の無線ソースへ送信するように、事業者によって構成されてよい。ターゲットＵＥは、その時、異なる測位関連信号の間で区別することによって、いくつかの無線ソースを他から区別することが可能であり得る。たとえば、ＬＴＥアクセス用のＯＴＤＯＡ測位の場合には、部分的に不明確なセルは、２つのセットＡおよびＢにパーティショニングされ得る無線ソース（たとえば、ＤＡＳアンテナ素子またはＲＲＨ）のセットを有し得る。セットＡの中の各無線ソースによって送信されるＰＲＳ信号は同じであってよいが、異なるＰＲＳコード系列、異なるＰＲＳ周波数、もしくは周波数の異なるセット、異なるＰＲＳタイミング（たとえば、異なるＰＲＳ測位オケージョンおよびオーバーラップしないＰＲＳ測位オケージョン）、および／または異なるＰＲＳミューティング系列を使用することに起因して、セットＢの中の各無線ソースによって送信されるＰＲＳ信号と異なってよい。ＵＥは、次いで、セットＡの中の無線ソースのＰＲＳコード、周波数、タイミング、およびミューティング特性に基づいて、受信されたＰＲＳ信号のコヒーレント積分または非コヒーレント積分を実行することによって、セットＡ内のいくつかの無線ソースからのＰＲＳ信号の到来時間を詳細に測定してよく、セットＢ内は測定しなくてよい。ＵＥは、次いで、到来時間測定値からＲＳＴＤ測定値を決定し得、ＵＥロケーションを決定する助けとなるためにＲＳＴＤ測定値を使用してよく、または−  たとえば、図４に関連して説明したように、ＵＥロケーションを決定する助けとなるためにＲＳＴＤ測定値をロケーションサーバに戻してよい。ＵＥまたはロケーションサーバは、ＲＳＴＤ測定値がセットＡの中のいくつかの無線ソースに対するものでありセットＢの中ではないことを知ることができるが、ＵＥまたはロケーションサーバは、普通はセットＡの中のどの無線ソースにＲＳＴＤ測定値が適用されるのかを決定することが可能でなくてよい。ＵＥまたはロケーションサーバは、次いで、セットＡの中の無線ソースを決定するために（たとえば、図３および式（１）〜式（１６）に関連して）前に説明した技法を使用し得、それによって、もっと正確なＵＥロケーションを取得し得る。
【０１３４】
[00132]図１〜図８をさらに参照しながら図９を参照すると、コンピュータシステム９００は、図２、図３、図４、図５、図６、図７、および図１０における要素のうちのいくつかの機能を少なくとも部分的に実施するために、不明確セルに基づく測位において利用され得る。図９は、本明細書で説明するような様々な他の実施形態によって提供される方法を実行することができ、および／またはモバイルデバイスもしくは他のコンピュータシステムとして機能することができる、コンピュータシステム９００の一実施形態の概略図を提供する。たとえば、Ｅ−ＳＭＬＣ２０８、ＳＬＰ２３２、ロケーションサーバ３０２、ロケーションサーバ４０４、およびアルマナック３０４は、１つまたは複数のコンピュータシステム９００からなり得る。図９は、様々な構成要素の一般化された例を提供し、そのいずれかまたはすべてが適宜に利用され得る。したがって、図９は、個々のシステム要素が、相対的に分離された方法または相対的により統合された方法でどのように実装され得るのかを広く示す。
【０１３５】
[00133]バス９０５を介して電気的に結合され得る（または、適宜に別の方法で通信していることがある）ハードウェア要素を備えるコンピュータシステム９００が示される。ハードウェア要素は、限定はしないが、１つもしくは複数の汎用プロセッサおよび／または１つもしくは複数の専用プロセッサ（デジタル信号処理チップ、グラフィックス加速プロセッサなど）を含む１つまたは複数のプロセッサ９１０と、限定はしないが、マウス、キーボードなどを含むことができる１つまたは複数の入力デバイス９１５と、限定はしないが、ディスプレイデバイス、プリンタなどを含むことができる１つまたは複数の出力デバイス９２０とを含み得る。プロセッサ９１０は、たとえば、インテリジェントハードウェアデバイス、たとえば、Ｉｎｔｅｌ（登録商標）ＣｏｒｐｏｒａｔｉｏｎまたはＡＭＤ（登録商標）によって作られるものなどの中央処理装置（ＣＰＵ）、マイクロコントローラ、ＡＳＩＣなどを含むことができる。他のプロセッサタイプも利用され得る。
【０１３６】
[00134]コンピュータシステム９００は、１つまたは複数の非一時的記憶デバイス９２５をさらに含み得（および／または、それらと通信していることがあり）、非一時的記憶デバイス９２５は、限定はしないが、ローカルストレージおよび／またはネットワークアクセス可能ストレージを備えることができ、ならびに／あるいは、限定はしないが、ディスクドライブと、ドライブアレイと、光記憶デバイスと、プログラム可能、フラッシュアップデート可能などであり得る、ランダムアクセスメモリ（「ＲＡＭ」）および／または読取り専用メモリ（「ＲＯＭ」）などのソリッドステート記憶デバイスとを含むことができる。そのような記憶デバイスは、限定はしないが、様々なファイルシステム、データベース構造などを含む、任意の適切なデータストアを実装するように構成され得る。
【０１３７】
[00135]コンピュータシステム９００はまた、限定はしないが、モデム、ネットワークカード（ワイヤレスまたはワイヤード）、赤外線通信デバイス、（Ｂｌｕｅｔｏｏｔｈ短距離ワイヤレス通信技術トランシーバ／デバイス、８０２．１１デバイス、ＷｉＦｉデバイス、ＷｉＭａｘ（登録商標）デバイス、セルラー通信施設などの）ワイヤレス通信デバイスおよび／またはチップセットなどを含むことができる、通信サブシステム９３０を含み得る。通信サブシステム９３０は、データが、（一例を挙げれば以下で説明するネットワークなどの）ネットワーク、他のコンピュータシステム、および／または本明細書で説明する任意の他のデバイスと交換されることを可能にし得る。多くの実施形態では、コンピュータシステム９００は、上記で説明したように、ＲＡＭまたはＲＯＭデバイスを含むことができる作業メモリ９３５をここではさらに備える。
【０１３８】
[00136]コンピュータシステム９００はまた、オペレーティングシステム９４０、デバイスドライバ、実行可能ライブラリ、および／または１つもしくは複数のアプリケーションプログラム９４５などの他のコードを含む、現在作業メモリ９３５内に配置されるものとして示されるソフトウェア要素を備えることができ、アプリケーションプログラム９４５は、様々な実施形態によって提供されるコンピュータプログラムを備えてよく、ならびに／あるいは本明細書で説明するように、他の実施形態によって提供される方法を実施し、および／または他の実施形態によって提供されるシステムを構成するように設計されてよい。単に例として、本明細書で説明する１つまたは複数のプロセスは、コンピュータ（および／またはコンピュータ内のプロセッサ）によって実行可能なコードおよび／または命令として実装され得る。そのようなコードおよび／または命令は、説明した方法に従って１つもしくは複数の動作を実行するように汎用コンピュータ（または他のデバイス）を構成し、および／または適合させるために使用され得る。
【０１３９】
[00137]これらの命令および／またはコードのセットは、上記で説明した記憶デバイス９２５などのコンピュータ可読記憶媒体上に記憶され得る。場合によっては、記憶媒体は、コンピュータシステム９００などのコンピュータシステム内に組み込まれ得る。他の実施形態では、記憶媒体は、コンピュータシステムとは別個（たとえば、コンパクトディスクなどのリムーバブル媒体）であってよく、ならびに／あるいは、記憶媒体が、その上に記憶された命令／コードを用いて汎用コンピュータをプログラムし、構成し、および／または適合させるために使用され得るようなインストールパッケージで提供され得る。これらの命令は、コンピュータシステム９００によって実行可能である実行可能コードの形態をとり得、ならびに／あるいは、（たとえば、一般に利用可能な様々なコンパイラ、インストールプログラム、圧縮／解凍ユーティリティなどのいずれかを使用して）コンピュータシステム９００上でコンパイルおよび／またはインストールしたときに実行可能コードの形態をとる、ソースコードおよび／またはインストール可能コードの形態をとり得る。
【０１４０】
[00138]特定の要望に従って、大幅な変形が行われてよい。たとえば、カスタマイズされたハードウェアも使用されてよく、および／または特定の要素が、ハードウェア、（アプレットなどのポータブルソフトウェアを含む）ソフトウェア、もしくはその両方で実装され得る。さらに、ネットワーク入力／出力デバイスなどの他のコンピューティングデバイスへの接続が採用されてよい。
【０１４１】
[00139]コンピュータシステム９００は、本開示に従って方法を実行するために使用され得る。そのような方法の手順の一部または全部は、プロセッサ９１０が、作業メモリ９３５の中に含まれる（オペレーティングシステム９４０、および／またはアプリケーションプログラム９４５などの他のコードに組み込まれ得る）１つまたは複数の命令の１つまたは複数のシーケンスを実行したことに応答して、コンピュータシステム９００によって実行され得る。そのような命令は、記憶デバイス９２５のうちの１つまたは複数などの別のコンピュータ可読媒体から作業メモリ９３５に読み取られてよい。単に例として、作業メモリ９３５の中に含まれる命令のシーケンスの実行は、本明細書で説明した方法の１つまたは複数の手順をプロセッサ９１０に実行させ得る。
【０１４２】
[00140]（たとえば、図２〜図８および式（１）〜式（１６）に関連して）前に説明した技法は、１つまたは複数の測定値がＵＥ（たとえば、ＵＥ１００）によって１つの不明確セルまたは複数の不明確セルに対して取得され得る他の測位方法をサポートするようにさらに拡張され得る。たとえば、ＥＣＩＤ測位方法の場合には、ＵＥは、ＵＥによって測定されるセル（たとえば、ＲＲＨまたはＤＡＳアンテナ素子）にとってのＵＥから無線ソースまでの直線距離の決定を可能にするか、または可能にする助けとなる、不明確セルに対する１つまたは測定値（measurements）を取得し得る。測定値は、ＲＳＳＩ、Ｓ／Ｎ、ＲＴＴ、タイミングアドバンス（ＴＡ）、受信−送信（Ｒｘ−Ｔｘ）時間差のものであってよく、またはいくつかの他の信号特性のものであってよい。測定値は、場合によっては、ＵＥと被測定無線ソースとの間の予想距離に直接変換され得る。たとえば、よく知られているように、予想距離は、マルチパスがない場合のＲＴＴ測定またはＴＡ測定の場合には（ｃ  ＲＴＴ／２）または（ｃ  ＴＡ／２）に等しく、ただし、ｃは空気中の信号速度（たとえば、光の速度）である。ＲＳＳＩ測定値またはＳ／Ｎ測定値の場合には、信号送信電力、アンテナ利得、信号によって横断される環境のタイプ（たとえば、農村、郊外、都会）にとっての距離に対する信号減衰、および／または距離への信号干渉依存などの、いくつかの情報の知識または推定が、ＵＥと被測定無線ソースとの間の予想距離を推定するために同様に使用され得る。ダウンリンクとアップリンクとの信号タイミングの間の差分の測定の場合には、Ｒｘ−Ｔｘ測定によって提供され得るＵＥにおいて、この測定値の、ＵＥと通信している無線ソースにおいて取得される類似の測定値との組合せが、（よく知られているように）信号ＲＴＴを提供し得、ＲＴＴは、次いで、ＵＥと被測定無線ソースとの間の予想距離に変換され得る。場合によっては、１つまたは複数のＵＥ測定値（たとえば、ＲＴＴ、Ｓ／Ｎ、ＲＳＳＩなどの）において予想または推定される１つの誤差（または、複数の誤差）が、測定値から計算されるＵＥと被測定無線ソースとの間の予想距離における対応する誤差または不確実性を決定するために使用され得る。たとえば、測定誤差および／または信号マルチパスによって引き起こされる、（たとえば、ＲＴＴ、Ｓ／Ｎ、Ｒｘ−Ｔｘに対する）いくつかの測定値に知られているかまたは推定される不精密さがあり得、ならびに／あるいは１つまたは複数の測定値を予想距離に変換するためのいくつかの手段に、類似の不精密さがあり得る。予想距離における不確実性は、場合によっては、普通は予想距離がこれらの中間として（in between these）、最大距離と最小距離とを使用して表現され得る。被測定無線ソースは、通常、不明確セルにとって知られていないが、ロケーションサーバ（または、ＵＥ）は、測定された有望な（probable）無線ソースを決定するために、ＵＥと被測定無線ソースとの間の予想距離（および、予想距離における任意の不確実性）＋他の手段（たとえば、不明確でないセルのＵＥ測定値）を使用して取得されるＵＥに対する近似的なロケーションを使用し得る。
【０１４３】
[00141]図１０は、無線ソースを決定しＵＥ１００に対するロケーション推定値の確度を改善するために、不明確セルの中の無線ソースとＵＥ１００との間の（たとえば、ちょうど説明したように取得される）距離関連測定値がどのように使用され得るのかという例示的な図を提供する。図１０は、各々が不明確セル１０００内に部分的なカバレージを提供する２つのアンテナ素子（または、アンテナ）ＡＥ１およびＡＥ２を含む不明確セル１０００を示す。たとえば、不明確セル１０００は、図３におけるｅＮＢ  Ｎ＋１  ３１２に対する不明確セルに相当し得、アンテナ素子ＡＥ１およびＡＥ２は、図３におけるアンテナ素子ＡＥ１およびＡＥ２であり得る。Ｘ、Ｙ、およびＺ座標の拡張は簡単で（straightforward）あるが、図１０は、ＸおよびＹ座標だけを例示する。
【０１４４】
[00142]図１０を参照すると、ＵＥ１００の予想ロケーションは、不明確セル１０００に対する測定値を含まない測定値を使用して決定されているものと想定される。ＵＥ１００の予想ロケーションは、この例では任意の方向でｎメートル（たとえば、ｎ＝２００メートル）としての不確実性を有する、図３におけるロケーション１０１０である。このことは、ＵＥ１００に対する最も有望な実際のロケーションが、予想ロケーション１０１０に中心があり半径１０２０がｎメートルに等しい円１０３０内にあることを意味する。この例では、ＵＥ１００が、不明確セル１０００の中の１つの無線ソースに対して（たとえば、アンテナ素子ＡＥ１またはＡＥ２に対して）、不明確セル１０００に対する（たとえば、ＲＳＳＩ、Ｓ／Ｎ、ＲＴＴ、Ｒｘ−Ｔｘなどとしての）１つまたは複数の測定値を作成することも想定される。ＵＥ１００と不明確セル１０００の中の被測定無線ソースとの間の予想距離は、その時、最小ｐメートルと最大ｑメートル（たとえば、ｐ＝２００メートルとｑ＝３００メートル）との間にあるものと（たとえば、前に説明したように）推定され得る。ＵＥ１００の有望な実際のロケーションは、その時、不明確セルに対する被測定無線ソースに中心があり外半径がｑメートルに等しく内半径がｐメートルに等しい環内にあることになる。被測定無線ソースがアンテナ素子ＡＥ１である場合、ＵＥ１００は、内半径１０５０がｐメートルに等しく外半径１０４０がｑメートルに等しい環１０６０内にあることになる。被測定無線ソースがアンテナ素子ＡＥ２である場合、ＵＥ１００は、内半径１０８０がｐメートルに等しく外半径１０７０がｑメートルに等しい環１０９０内にあることになる。
【０１４５】
[00143]図１０における例では、アンテナ素子ＡＥ１に対する環１０６０は、ＵＥ１００がおそらくその内側で位置特定される円１０３０とオーバーラップするが、アンテナ素子ＡＥ２に対する環１０９０は、円１０３０とオーバーラップしない。そのような測定値によって暗示されるＵＥ１００に対するロケーションが、不明確セル１０００に関与しない他の測定値を使用して決定されるＵＥ１００の（円１０３０内での）予想ロケーションと一致しないので、このことは、ＵＥ１００がアンテナ素子ＡＥ２を測定している可能性が低いことを意味する。反対に、そのような測定値によって暗示されるＵＥ１００に対するロケーションが、不明確セル１０００に関与しない他の測定値を使用して決定されるＵＥ１００の予想ロケーションと一致するので、ＵＥ１００は、アンテナ素子ＡＥ１を測定していることがある。たとえば、ＵＥ１００は、環１０６０と円１０３０の内部エリアとの間のオーバーラップ１０６０Ａのエリアの中に位置特定され得る。不明確セル１０００が他のアンテナ素子（たとえば、図３におけるような、図１０に示されないＡＥ３〜ＡＥＭ）を含み、１０６０および１０９０と類似の環がこれらのアンテナ素子の各々に対して距離ｐおよびｑを使用して決定される場合、ならびにこれらの環のうちのいずれも円１０３０とオーバーラップしない場合、この例ではＵＥ１００がアンテナ素子ＡＥ１を測定したと想定され得る。その場合、ＵＥ１００に対するもっと正確なロケーションが、円１０３０の内部エリアと環１０６０との間のオーバーラップ１０６０Ａのエリアとして決定され得る。不明確セル１０００の他のアンテナ素子に対する環のうちの１つまたは複数が、円１０３０とオーバーラップする場合、ただし、オーバーラップのエリアがアンテナ素子ＡＥ１に対するよりもはるかに小さい場合、いくつかの実装形態では、ＵＥ１００がアンテナ素子ＡＥ１を測定したとさらに想定され得る。図１０は、前にさほど正確でなかったＵＥに対するロケーション推定値（たとえば、図１０における円１０３０）が（たとえば、図１０における環１０６０と円１０３０の内部エリアとの間のオーバーラップ１０６０Ａのエリアを使用することによって）改善されるのを、ＵＥと不明確セル内の無線ソースとの間の距離推定を可能にするＥＣＩＤ測定がどのように可能にし得るのかを示す。
【０１４６】
[00144]いくつかの実施形態では、被測定基準ソース（たとえば、図３におけるアンテナ素子ＡＥｍのうちの１つ）は、図２におけるｅＮＢ  Ｎ＋１  ３１２に対するものなどの不明確セルの、ＵＥ１００による２つ以上の異なる測定値を使用して別個に決定され得る。被測定基準ソースが、異なる測定値を使用して同じ無線ソースであるものと決定される場合、ロケーションサーバまたはＵＥ１００は、この基準ソースがＵＥ１００によって測定されたという、もっと大きい確信を有してよく、ロケーションサーバまたはＵＥ１００は、次いで、ＵＥ１００に対するロケーション推定値の確度を改善するために、不明確セルに対する２つ以上の異なる測定値を使用し得る。一例として、被測定基準ソースは、図１０に関連して説明するように、不明確セルに対して１つまたは複数のＥＣＩＤ測定値を使用して決定され得、図３および式（１）〜式（１６）に関連して説明したように、不明確セルに対する１つまたは複数のＯＴＤＯＡ  ＲＳＴＤ測定値を使用して別個に決定され得る。両方の場合において同じ被測定基準ソースが決定される場合（たとえば、図１０に対して説明するようなＡＥ１）、ロケーションサーバまたはＵＥ１００は、これがＵＥ１００によってＥＣＩＤとＯＴＤＯＡ  ＲＳＴＤ測定値の両方に対して測定された基準ソースであったと想定してよく、ＵＥ１００に対するもっと正確なロケーションを取得するために、この被測定基準ソースを想定するすべての測定値を組み合わせてよい。
【０１４７】
[00145]ＥＣＩＤを使用するＵＥロケーション決定に関連して図１０において説明する技法は幾何学的に説明され、ＯＴＤＯＡを使用するＵＥロケーション決定に関連して図３において説明した技法は代数学的に説明される。ただし、これらの技法は相補的および交換可能であり得る。たとえば、ＥＣＩＤ測定値のために図１０におけるオーバーラップするエリア（たとえば、エリア１０６０Ａ）を決定する技法は、（ａ）ＵＥ１００の予想ロケーション１０１０と可能な各被測定無線ソース（たとえば、ＡＥ１、ＡＥ２）との間の距離と、（ｂ）ＵＥ１００とＥＣＩＤ測定値（たとえば、ＲＴＴ、ＲＳＳＩ、Ｓ／Ｎ、またはＴＡ）を使用して推定される被測定無線ソースとの間の距離との間の、差分に等しい誤差を決定することと類似または等価であり得る。この誤差（すなわち、上の（ａ）と（ｂ）との間の差分）が最小化される無線ソースが、ＵＥ１００によって測定された無線ソースであり得る。同様に図３の場合において、式（１６）におけるような誤差項を最小化することによって、不明確セルに対する（たとえば、ｅＮＢ  Ｎ＋１  ３１２に対する）被測定無線ソース（たとえば、特定のアンテナ素子ＡＥｍ）を見つける代わりに、ＵＥ１００のロケーションは、式（１５）と基準セル用および不明確セルに対する可能な各無線ソース用のアルマナックデータ（たとえば、Ｘ、Ｙ、Ｚ座標および内部信号遅延）とを使用して、被測定無線ソースに対するＲＳＴＤ測定値によって規定される双曲面（または、ＸおよびＹ座標だけの場合、双曲線）上で見つけられ得る。この双曲面（または、双曲線）は、どの無線ソース（たとえば、図３の場合にはどのアンテナ素子ＡＥｍ）がＵＥによって測定されるのかに依存する。加えて、ＲＳＴＤ測定値が（たとえば、測定誤差および／または信号マルチパスによって引き起こされる）いくらかの不確実性を有する場合、双曲面（または、双曲線）はいくらかの不確実性を有し、環１０６０および１０９０に対して図１０に示すエリアと類似の２つの最大（extreme）双曲面（または、２つの最大双曲線）の間の双曲型ボリューム（または、ＸおよびＹ座標だけが使用されるときは双曲型エリア）によって表され得る。不明確セルに関与しない測定値によって決定される（たとえば、図１０における円１０３０の内部エリアなどの）ＵＥの予想ロケーションを有する、ＵＥによって測定される可能な各無線ソースに対する（たとえば、図３の例ではアンテナ素子ＡＥ１〜ＡＥＭの各々に対する）この双曲型ボリューム（または、双曲型エリア）の共通部分（intersection）が、次いで、不明確セルに対する被測定無線ソースを決定するために、図１０に対して説明するものと同様に使用されてよい。たとえば、被測定無線ソースは、決定された双曲型ボリューム（または、エリア）が、図１０における円１０３０の内部エリアと類似の、ＵＥ１００に対する予想ロケーションを含む不確実性ボリューム（または、エリア）との最大の（greatest）オーバーラップを有すべき無線ソースであるものと想定され得る。代替として、１つの双曲型ボリューム（または、エリア）だけがそのようなオーバーラップを有する場合では、被測定無線ソースは、決定された双曲型ボリューム（または、エリア）が���Ｅの予想ロケーションを含む不確実性ボリューム（または、エリア）とのいくつかのオーバーラップを有する無線ソースであるものと想定され得る。
【０１４８】
[00146]本明細書で使用する「機械可読媒体」および「コンピュータ可読媒体」という用語は、機械を特定の方法で動作させるデータを提供することに関与する任意の媒体を指す。ＵＥ１００および／またはコンピュータシステム９００を使用して実施される一実施形態では、様々なコンピュータ可読媒体が、実行のためにプロセッサ１１１、９１０に命令／コードを提供することに関与し得、ならびに／またはそのような命令／コードなどを（たとえば、信号として）記憶および／もしくは搬送するために使用され得る。多くの実装形態では、コンピュータ可読媒体は、物理的および／または有形の記憶媒体である。そのような媒体は、限定はしないが、不揮発性媒体と、揮発性媒体と、伝送媒体とを含む多くの形態をとり得る。不揮発性媒体は、たとえば、記憶デバイス１４０、９２５などの光ディスクおよび／または磁気ディスクを含む。揮発性媒体は、限定はしないが、作業メモリ１４０、９３５などのダイナミックメモリを含む。伝送媒体は、限定はしないが、同軸ケーブル、バス１０１、９０５を備えるワイヤを含む銅線および光ファイバー、ならびに通信サブシステム９３０の様々な構成要素（および／または通信サブシステム９３０がそれによって他のデバイスとの通信を行う媒体）を含む。したがって、伝送媒体は、（限定はしないが、無線波データ通信中および赤外線データ通信中に生成されるものなどの、無線波、音響波、および／または光波を含む）波の形態をとることもできる。
【０１４９】
[00147]物理的および／または有形のコンピュータ可読媒体の一般の形態は、たとえば、フロッピー（登録商標）ディスク、フレキシブルディスク、ハードディスク、磁気テープ、または任意の他の磁気媒体、ＣＤ−ＲＯＭ、Ｂｌｕ−Ｒａｙ（登録商標）ディスク、任意の他の光媒体、パンチカード、紙テープ、穴のパターンを有する任意の他の物理媒体、ＲＡＭ、ＰＲＯＭ、ＥＰＲＯＭ、ＦＬＡＳＨ−ＥＰＲＯＭ、任意の他のメモリチップまたはカートリッジ、以下で説明するような搬送波、あるいはコンピュータが命令および／またはコードをそこから読み取ることができる任意の他の媒体を含む。
【０１５０】
[00148]コンピュータ可読媒体の様々な形態は、実行のために１つまたは複数の命令の１つまたは複数のシーケンスをプロセッサ１１１、９１０に搬送することに関与し得る。単に例として、命令は、最初に、リモートコンピュータの磁気ディスクおよび／または光ディスク上で搬送され得る。リモートコンピュータは、そのダイナミックメモリに命令をロードし得、ＵＥ１００および／またはコンピュータシステム９００によって受信および／または実行されるように命令を伝送媒体を介して信号として送り得る。電磁信号、音響信号、光信号などの形態であり得るこれらの信号はすべて、本発明の様々な実施形態による、命令が符号化され得る搬送波の例である。
【０１５１】
[00149]上記で説明した方法、システム、およびデバイスは例である。様々な代替構成が、様々な手順または構成要素を適宜、省略、置換、または追加し得る。たとえば、代替方法では、ステージは上記で説明したものと異なる順序で実行されてよく、様々なステージが追加され、省略され、または組み合わせられてよい。また、いくつかの構成に関して説明した特徴は、様々な他の構成においては組み合わせられてよい。構成の異なる態様および要素が、同様にして組み合わせられてよい。また、技術は発展し、したがって、要素の多くは例であり、本開示または特許請求の範囲を限定しない。
【０１５２】
[00150]（実装形態を含む）例示的な構成の完全な理解を与えるようために、説明では具体的な詳細が与えられる。しかしながら、構成はこれらの具体的な詳細を伴わずに実践され得る。たとえば、構成を不明瞭にすることを避けるために、よく知られている回路、プロセス、アルゴリズム、構造、および技法は、不必要な詳細を伴わずに示されている。この説明は、例示的な構成を与えるにすぎず、特許請求の範囲の範囲、適用性、または構成を限定しない。そうではなく、構成の上記の説明は、説明された技法を実施することを可能にする説明を当業者に与えるものである。本開示の趣旨および範囲から逸脱することなく、要素の機能および構成において様々な変更が行われ得る。
【０１５３】
[00151]構成は、フロー図またはブロック図として示されるプロセスとして説明されることがある。各々は動作を逐次プロセスとして説明することがあるが、動作の多くは並行してまたは同時に実行され得る。加えて、動作の順序は並べ替えられてよい。プロセスは、図に含まれない追加のステップを有してよい。さらに、方法の例は、ハードウェア、ソフトウェア、ファームウェア、ミドルウェア、マイクロコード、ハードウェア記述言語、またはそれらの任意の組合せによって実装され得る。ソフトウェア、ファームウェア、ミドルウェア、またはマイクロコードで実装されるとき、必要なタスクを実行するためのプログラムコードまたはコードセグメントは、記憶媒体などの非一時的コンピュータ可読媒体に記憶され得る。プロセッサは、説明したタスクを実行し得る。
【０１５４】
[00152]特許請求の範囲を含めて、本明細書で使用されるとき、「のうちの少なくとも１つ」で終わる項目の列挙中で使用される「または」は、たとえば、「Ａ、Ｂ、またはＣのうちの少なくとも１つ」という列挙が、ＡまたはＢまたはＣまたはＡＢまたはＡＣまたはＢＣまたはＡＢＣ（すなわち、ＡおよびＢおよびＣ）、あるいは２つ以上の特徴を有する組合せ（たとえば、ＡＡ、ＡＡＢ、ＡＢＢＣなど）を意味するような、選言的列挙を示す。
【０１５５】
[00153]特許請求の範囲を含めて、本明細書で使用されるとき、別段に明記されていない限り、機能または動作が項目または状態「に基づく」という文は、機能または動作が、述べられた項目または状態に基づくとともに、述べられた項目または状態に加えて１つまたは複数の項目および／または状態に基づき得ることを意味する。
【０１５６】
[00154]いくつかの例示的な構成を説明したが、本開示の趣旨から逸脱することなく、様々な修正、代替構成、および均等物が使用され得る。たとえば、上記の要素は、もっと大型のシステムの構成要素であってよく、他のルールが、本発明の適用例よりも優先するかまたはさもなければ本発明の適用例を修正し得る。また、上記の要素が考慮される前に、考慮されている間に、または考慮された後に、いくつかのステップが行われてよい。したがって、上記の説明は特許請求の範囲を限定しない。
【図１】
2018522226.tif 000019
【図２】
2018522226.tif 000020
【図３】
2018522226.tif 000021
【図４】
2018522226.tif 000022
【図５】
2018522226.tif 000023
【図６】
2018522226.tif 000024
【図７】
2018522226.tif 000025
【図８Ａ】
2018522226.tif 000026
【図８Ｂ】
2018522226.tif 000027
【図９】
2018522226.tif 000028
【図１０】
2018522226.tif 000029
【手続補正書】
【提出日】平成29年12月1日(2017.12.1)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）を位置特定するための方法であって、
位置特定支援データを前記ＵＥに提供することと、ここにおいて、前記位置特定支援データが少なくとも１つの不明確セルを含む、
測定データを求める要求を前記ＵＥに提供することと、
前記ＵＥから測定データを受信することと、ここにおいて、前記測定データが、不明確セルに対する少なくとも１つの測定値を含み、ここにおいて、前記不明確セルが、分散アンテナシステム、または別の近接セルのものと同一の測位基準信号のうちの少なくとも１つを利用する、
前記不明確セルに対する前記少なくとも１つの測定値に少なくとも部分的に基づいて、前記ＵＥの現在位置を計算することと
を備える方法。
【請求項２】
前記ＵＥが、ロングタームエボリューション（ＬＴＥ）ネットワークにアクセスするように構成され、前記不明確セルに対する前記少なくとも１つの測定値が、観測到来時間差（ＯＴＤＯＡ）測位方法のための基準信号時間差（ＲＳＴＤ）測定値である、請求項１に記載の方法。
【請求項３】
前記不明確セルが基準セルである、請求項２に記載の方法。
【請求項４】
前記不明確セルが隣接セルである、請求項２に記載の方法。
【請求項５】
前記位置特定支援データを前記ＵＥに提供することが、ＬＴＥ測位プロトコル（ＬＰＰ）提供支援データメッセージを前記ＵＥへ送ることを含む、請求項２に記載の方法。
【請求項６】
前記ＵＥから前記測定データを受信することが、前記ＵＥからＬＰＰ提供ロケーション情報メッセージを受信することを含む、請求項２に記載の方法。
【請求項７】
前記ＵＥの前記現在位置を計算することが、前記不明確セルに対するアンテナロケーションを決定することを含む、請求項１に記載の方法。
【請求項８】
ユーザ機器（ＵＥ）を位置特定するための方法であって、
ロケーションサーバから位置特定支援データを受信することと、ここにおいて、前記位置特定支援データが不明確セルを含む、
測定値を求める要求を前記ロケーションサーバから受信することと、
複数のセルに対する１つまたは複数の測定値を作成することと、ここにおいて、少なくとも１つの測定値が、前記不明確セルに対するものであり、ここにおいて、前記不明確セルが、分散アンテナシステム、または別の近接セルのものと同一の測位基準信号のうちの１つを利用する、
前記不明確セルに対する前記少なくとも１つの測定値に少なくとも部分的に基づいて、前記ＵＥに対するロケーションの決定を可能にすることと
を備える方法。
【請求項９】
前記ＵＥに対する前記ロケーションの決定を前記可能にすることが、前記複数のセルに対する前記測定値を前記ロケーションサーバへ送ることを備える、請求項８に記載の方法。
【請求項１０】
前記複数のセルに対する前記測定値を前記ロケーションサーバへ送ることが、ＬＰＰ提供ロケーション情報メッセージを前記ロケーションサーバへ送ることを含む、請求項９に記載の方法。
【請求項１１】
前記ＵＥに対する前記ロケーションの決定を前記可能にすることが、前記ＵＥによって前記ロケーションを決定することを備える、請求項８に記載の方法。
【請求項１２】
さらに、前記ＵＥによって前記ロケーションを前記決定することが、前記不明確セルに関連するアンテナロケーションに基づく、請求項１１に記載の方法。
【請求項１３】
前記ロケーションサーバから前記位置特定支援データを受信することが、前記ロケーションサーバからＬＴＥ測位プロトコル（ＬＰＰ）提供支援データメッセージを受信することを含む、請求項８に記載の方法。
【請求項１４】
前記不明確セルに対する前記少なくとも１つの測定値が、ＬＴＥアクセス用の観測到来時間差（ＯＴＤＯＡ）測位方法のための基準信号時間差（ＲＳＴＤ）の測定値である、請求項８に記載の方法。
【請求項１５】
前記不明確セルが基準セルである、請求項１４に記載の方法。
【請求項１６】
前記不明確セルが隣接セルである、請求項１４に記載の方法。
【請求項１７】
ユーザ機器（ＵＥ）を位置特定するための装置であって、
メモリと、
通信サブシステムと、
前記メモリおよび前記通信サブシステムに動作可能に結合された少なくとも１つのプロセッサとを備え、前記少なくとも１つのプロセッサが、
位置特定支援データを前記ＵＥに提供することと、ここにおいて、前記位置特定支援データが少なくとも１つの不明確セルを含む、
測定データを求める要求を前記ＵＥに提供することと、
前記ＵＥから前記測定データを受信することと、ここにおいて、前記測定データが、不明確セルに対する少なくとも１つの測定値を含み、ここにおいて、前記不明確セルが、分散アンテナシステム、または別の近接セルのものと同一の測位基準信号のうちの少なくとも１つを利用する、
前記不明確セルに対する前記少なくとも１つの測定値に少なくとも部分的に基づいて、前記ＵＥの現在位置を計算することとを行うように構成される、
装置。
【請求項１８】
前記ＵＥが、ロングタームエボリューション（ＬＴＥ）ネットワークにアクセスするように構成され、前記不明確セルに対する前記少なくとも１つの測定値が、観測到来時間差（ＯＴＤＯＡ）測位方法のための基準信号時間差（ＲＳＴＤ）測定値である、請求項１７に記載の装置。
【請求項１９】
前記不明確セルが基準セルである、請求項１８に記載の装置。
【請求項２０】
前記不明確セルが隣接セルである、請求項１８に記載の装置。
【請求項２１】
前記少なくとも１つのプロセッサが、ＬＴＥ測位プロトコル（ＬＰＰ）提供支援データメッセージを前記ＵＥへ送ることによって、前記位置特定支援データを前記ＵＥに提供するように構成される、請求項１８に記載の装置。
【請求項２２】
前記少なくとも１つのプロセッサが、前記ＵＥからＬＰＰ提供ロケーション情報メッセージを受信することによって、前記ＵＥから前記測定データを受信するように構成される、請求項１８に記載の装置。
【請求項２３】
前記少なくとも１つのプロセッサが、前記不明確セルに対するアンテナロケーションに基づいて、前記ＵＥの前記現在位置を計算するように構成される、請求項１７に記載の装置。
【請求項２４】
ユーザ機器（ＵＥ）を位置特定するための装置であって、
メモリと、
通信インターフェースと、
前記通信インターフェースおよび前記メモリに動作可能に結合された少なくとも１つのプロセッサとを備え、前記少なくとも１つのプロセッサが、
ロケーションサーバから位置特定支援データを受信することと、ここにおいて、前記位置特定支援データが不明確セルを含む、
測定値を求める要求を前記ロケーションサーバから受信することと、
複数のセルに対する測定値を決定することと、ここにおいて、少なくとも１つの測定値が、前記不明確セルに対するものであり、ここにおいて、前記不明確セルが、分散アンテナシステム、または別の近接セルのものと同一の測位基準信号のうちの１つを利用する、
前記不明確セルに対する前記少なくとも１つの測定値に少なくとも部分的に基づいて、前記ＵＥに対するロケーションを決定することとを行うように構成される、
装置。
【請求項２５】
前記少なくとも１つのプロセッサが、前記複数のセルに対する前記測定値を前記ロケーションサーバへ送るようにさらに構成される、請求項２４に記載の装置。
【請求項２６】
前記少なくとも１つのプロセッサが、前記ＵＥによって前記ロケーションを決定するようにさらに構成される、請求項２４に記載の装置。
【請求項２７】
前記少なくとも１つのプロセッサが、前記ロケーションサーバから位置特定支援データを受信するようにさらに構成され、ここにおいて、前記位置特定支援データが、前記不明確セルに対するアンテナロケーションを含み、ここにおいて、前記少なくとも１つのプロセッサが、前記位置特定支援データに基づいて前記ＵＥによって前記ロケーションを決定するように構成される、請求項２６に記載の装置。
【請求項２８】
前記少なくとも１つのプロセッサが、前記ロケーションサーバからＬＴＥ測位プロトコル（ＬＰＰ）提供支援データメッセージを受信するようにさらに構成される、請求項２４に記載の装置。
【請求項２９】
前記少なくとも１つのプロセッサが、ＬＰＰ提供ロケーション情報メッセージを前記ロケーションサーバへ送るようにさらに構成される、請求項２４に記載の装置。
【請求項３０】
前記不明確セルに対する前記少なくとも１つの測定値が、ＬＴＥアクセス用の観測到来時間差（ＯＴＤＯＡ）測位方法のための基準信号時間差（ＲＳＴＤ）の測定値である、請求項２４に記載の装置。
【手続補正２】
【補正対象書類名】明細書
【補正対象項目名】０１５６
【補正方法】変更
【補正の内容】
【０１５６】
[00154]いくつかの例示的な構成を説明したが、本開示の趣旨から逸脱することなく、様々な修正、代替構成、および均等物が使用され得る。たとえば、上記の要素は、もっと大型のシステムの構成要素であってよく、他のルールが、本発明の適用例よりも優先するかまたはさもなければ本発明の適用例を修正し得る。また、上記の要素が考慮される前に、考慮されている間に、または考慮された後に、いくつかのステップが行われてよい。したがって、上記の説明は特許請求の範囲を限定しない。
以下に本願の出願当初の特許請求の範囲に記載された発明を付記する。
［Ｃ１］
ユーザ機器（ＵＥ）を位置特定するための方法であって、
位置特定支援データを前記ＵＥに提供することと、ここにおいて、前記位置特定支援データが少なくとも１つの不明確セルを含む、
測定データを求める要求を前記ＵＥに提供することと、
前記ＵＥから測定データを受信することと、ここにおいて、前記測定データが、不明確セルに対する少なくとも１つの測定値を含み、ここにおいて、前記不明確セルが、リピータ、リモートラジオヘッド、リレー、分散アンテナシステム、または別の近接セルのものと同一の測位基準信号のうちの少なくとも１つを利用する、
前記不明確セルに対する前記少なくとも１つの測定値に少なくとも部分的に基づいて、前記ＵＥの現在位置を計算することと
を備える方法。
［Ｃ２］
前記ＵＥが、ロングタームエボリューション（ＬＴＥ）ネットワークにアクセスするように構成され、前記不明確セルに対する前記少なくとも１つの測定値が、観測到来時間差（ＯＴＤＯＡ）測位方法のための基準信号時間差（ＲＳＴＤ）測定値である、Ｃ１に記載の方法。
［Ｃ３］
前記不明確セルが基準セルである、Ｃ２に記載の方法。
［Ｃ４］
前記不明確セルが隣接セルである、Ｃ２に記載の方法。
［Ｃ５］
前記位置特定支援データを前記ＵＥに提供することが、ＬＴＥ測位プロトコル（ＬＰＰ）提供支援データメッセージを前記ＵＥへ送ることを含む、Ｃ２に記載の方法。
［Ｃ６］
前記ＵＥから前記測定データを受信することが、前記ＵＥからＬＰＰ提供ロケーション情報メッセージを受信することを含む、Ｃ２に記載の方法。
［Ｃ７］
前記ＵＥの前記現在位置を計算することが、前記不明確セル用の最も可能性が高いアンテナを決定することを含む、Ｃ１に記載の方法。
［Ｃ８］
ユーザ機器（ＵＥ）を位置特定するための方法であって、
ロケーションサーバから位置特定支援データを受信することと、ここにおいて、前記位置特定支援データが不明確セルを含む、
測定値を求める要求を前記ロケーションサーバから受信することと、
複数のセルに対する１つまたは複数の測定値を作成することと、ここにおいて、少なくとも１つの測定値が、前記不明確セルに対するものであり、ここにおいて、前記不明確セルが、リピータ、リモートラジオヘッド、リレー、分散アンテナシステム、または別の近接セルのものと同一の測位基準信号のうちの１つを利用する、
前記不明確セルに対する前記少なくとも１つの測定値に少なくとも部分的に基づいて、前記ＵＥに対するロケーションの決定を可能にすることと
を備える方法。
［Ｃ９］
前記ＵＥに対する前記ロケーションの決定を前記可能にすることが、前記複数のセルに対する前記測定値を前記ロケーションサーバへ送ることを備える、Ｃ８に記載の方法。
［Ｃ１０］
前記複数のセルに対する前記測定値を前記ロケーションサーバへ送ることが、ＬＰＰ提供ロケーション情報メッセージを前記ロケーションサーバへ送ることを含む、Ｃ９に記載の方法。
［Ｃ１１］
前記ＵＥに対する前記ロケーションの決定を前記可能にすることが、前記ＵＥによって前記ロケーションを決定することを備える、Ｃ８に記載の方法。
［Ｃ１２］
さらに、前記ＵＥによって前記ロケーションを前記決定することが、前記不明確セルに関連する最も可能性が高いアンテナに基づく、Ｃ１１に記載の方法。
［Ｃ１３］
前記ロケーションサーバから前記位置特定支援データを受信することが、前記ロケーションサーバからＬＴＥ測位プロトコル（ＬＰＰ）提供支援データメッセージを受信することを含む、Ｃ８に記載の方法。
［Ｃ１４］
前記不明確セルに対する前記少なくとも１つの測定値が、ＬＴＥアクセス用の観測到来時間差（ＯＴＤＯＡ）測位方法のための基準信号時間差（ＲＳＴＤ）の測定値である、Ｃ８に記載の方法。
［Ｃ１５］
前記不明確セルが基準セルである、Ｃ１４に記載の方法。
［Ｃ１６］
前記不明確セルが隣接セルである、Ｃ１４に記載の方法。
［Ｃ１７］
ユーザ機器（ＵＥ）を位置特定するための装置であって、
メモリと、
通信サブシステムと、
前記メモリおよび前記通信サブシステムに動作可能に結合された少なくとも１つのプロセッサとを備え、前記少なくとも１つのプロセッサが、
位置特定支援データを前記ＵＥに提供することと、ここにおいて、前記位置特定支援データが少なくとも１つの不明確セルを含む、
測定データを求める要求を前記ＵＥに提供することと、
前記ＵＥから前記測定データを受信することと、ここにおいて、前記測定データが、不明確セルに対する少なくとも１つの測定値を含み、ここにおいて、前記不明確セルが、リピータ、リモートラジオヘッド、リレー、分散アンテナシステム、または別の近接セルのものと同一の測位基準信号のうちの少なくとも１つを利用する、
前記不明確セルに対する前記少なくとも１つの測定値に少なくとも部分的に基づいて、前記ＵＥの現在位置を計算することとを行うように構成される、
装置。
［Ｃ１８］
前記ＵＥが、ロングタームエボリューション（ＬＴＥ）ネットワークにアクセスするように構成され、前記不明確セルに対する前記少なくとも１つの測定値が、観測到来時間差（ＯＴＤＯＡ）測位方法のための基準信号時間差（ＲＳＴＤ）測定値である、Ｃ１７に記載の装置。
［Ｃ１９］
前記不明確セルが基準セルである、Ｃ１８に記載の装置。
［Ｃ２０］
前記不明確セルが隣接セルである、Ｃ１８に記載の装置。
［Ｃ２１］
前記少なくとも１つのプロセッサが、ＬＴＥ測位プロトコル（ＬＰＰ）提供支援データメッセージを前記ＵＥへ送ることによって、前記位置特定支援データを前記ＵＥに提供するように構成される、Ｃ１８に記載の装置。
［Ｃ２２］
前記少なくとも１つのプロセッサが、前記ＵＥからＬＰＰ提供ロケーション情報メッセージを受信することによって、前記ＵＥから前記測定データを受信するように構成される、Ｃ１８に記載の装置。
［Ｃ２３］
前記少なくとも１つのプロセッサが、前記不明確セル用の最も可能性が高いアンテナに基づいて、前記ＵＥの前記現在位置を計算するように構成される、Ｃ１７に記載の装置。
［Ｃ２４］
ユーザ機器（ＵＥ）を位置特定するための装置であって、
メモリと、
通信インターフェースと、
前記通信インターフェースおよび前記メモリに動作可能に結合された少なくとも１つのプロセッサとを備え、前記少なくとも１つのプロセッサが、
ロケーションサーバから位置特定支援データを受信することと、ここにおいて、前記位置特定支援データが不明確セルを含む、
測定値を求める要求を前記ロケーションサーバから受信することと、
複数のセルに対する測定値を決定することと、ここにおいて、少なくとも１つの測定値が、前記不明確セルに対するものであり、ここにおいて、前記不明確セルが、リピータ、リモートラジオヘッド、リレー、分散アンテナシステム、または別の近接セルのものと同一の測位基準信号のうちの１つを利用する、
前記不明確セルに対する前記少なくとも１つの測定値に少なくとも部分的に基づいて、前記ＵＥに対するロケーションを決定することとを行うように構成される、
装置。
［Ｃ２５］
前記少なくとも１つのプロセッサが、前記複数のセルに対する前記測定値を前記ロケーションサーバへ送るようにさらに構成される、Ｃ２４に記載の装置。
［Ｃ２６］
前記少なくとも１つのプロセッサが、前記ＵＥによって前記ロケーションを決定するようにさらに構成される、Ｃ２４に記載の装置。
［Ｃ２７］
前記少なくとも１つのプロセッサが、前記ロケーションサーバから位置特定支援データを受信するようにさらに構成され、ここにおいて、前記位置特定支援データが、前記不明確セル用の最も可能性が高いアンテナを含み、ここにおいて、前記少なくとも１つのプロセッサが、前記位置特定支援データに基づいて前記ＵＥによって前記ロケーションを決定するように構成される、Ｃ２６に記載の装置。
［Ｃ２８］
前記少なくとも１つのプロセッサが、前記ロケーションサーバからＬＴＥ測位プロトコル（ＬＰＰ）提供支援データメッセージを受信するようにさらに構成される、Ｃ２４に記載の装置。
［Ｃ２９］
前記少なくとも１つのプロセッサが、ＬＰＰ提供ロケーション情報メッセージを前記ロケーションサーバへ送るようにさらに構成される、Ｃ２４に記載の装置。
［Ｃ３０］
前記不明確セルに対する前記少なくとも１つの測定値が、ＬＴＥアクセス用の観測到来時間差（ＯＴＤＯＡ）測位方法のための基準信号時間差（ＲＳＴＤ）の測定値である、Ｃ２４に記載の装置。
【国際調査報告】
2018522226.tif 000030
2018522226.tif 000031
2018522226.tif 000032